(57)【要約】一組の歯の物理モデルを製作するために一組の歯の仮想モデルを生成するコンピュータ実装方法が開示され、方法は、一組の歯（４０２）の仮想モデルであって、歯肉部分（４０１）とモデルの中の着脱可能構成要素（４０５）の一部であるように構成される歯とを含むモデルを提供することと、歯肉部分に空洞（４０７）を生成することであって、空洞は空洞壁を備え、空洞の中に着脱可能構成要素と空洞の壁との間の界面が画定されるように着脱可能構成要素が嵌合し、着脱可能構成要素および空洞は、界面に間隙を提供するように構成されることと、空洞の中に着脱可能構成要素を支持および位置付けるための手段を提供することであって、支持および位置付けるための手段（４０９）が、着脱可能構成要素と空洞壁との間の間隙を横断して延在するように、支持および位置付けるための手段は、着脱可能構成要素および空洞壁のうちの１つの上に生成されることとを含む。
2013520252.tif 000002
【特許請求の範囲】
【請求項１】
一組の歯の物理モデルを製作するために該一組の歯の仮想モデルを生成することについてのコンピュータ実装方法であって、該方法は、
該一組の歯の仮想モデルを提供することであって、該モデルは、歯肉部分と、該モデルの中の着脱可能構成要素の一部であるように構成される歯とを含む、ことと、
該歯肉部分の中に空洞を生成することであって、該空洞は、空洞壁を含み、該空洞の中に該着脱可能構成要素が嵌合し、それにより、該着脱可能構成要素と該空洞壁との間の界面が画定され、該着脱可能構成要素と該空洞とは、該界面に間隙を提供するように構成される、ことと、
該空洞の中に該着脱可能構成要素を支持および位置付けるための手段を提供することであって、該支持および位置付けるための手段が、該着脱可能構成要素および該空洞壁のうちの一方に生成されることにより、該支持および位置付けるための手段は、該着脱可能構成要素と該空洞壁との間の該間隙を横断して延在し、それにより、該仮想モデルから製作される物理モデルにおいて、該支持および位置付けるための手段は、該空洞の中に該着脱可能構成要素を支持し、位置付ける、ことと
を含み、
該界面における該着脱可能構成要素と該空洞壁との間の接触面積は、該支持および位置付けるための手段と該着脱可能構成要素および該空洞壁のうちの他方との隣接表面の形状によって制御される、方法。
【請求項２】
前記支持および位置付けるための手段の少なくとも一部が、前記空洞壁に生成されることにより、前記界面における前記着脱可能構成要素と該空洞壁との間の前記接触面積が、該支持および位置付けるための手段と該空洞壁との隣接表面の形状によって制御される、請求項１に記載の方法。
【請求項３】
前記支持および位置付けるための手段の少なくとも一部が、前記空洞壁に生成されることにより、前記界面における前記着脱可能構成要素と該空洞壁との間の前記接触面積が、該支持および位置付けるための手段と該着脱可能構成要素との隣接表面の形状によって制御される、請求項１または２に記載の方法。
【請求項４】
前記支持および位置付けるための手段は、それらが前記界面における前記着脱可能構成要素の表面の形状および／または前記空洞壁の形状に似ているように、少なくとも部分的に成形される、請求項１〜３のうちのいずれかに記載のコンピュータ実装方法。
【請求項５】
前記支持および位置付けるための手段は、支持要素を含み、該支持要素は、前記仮想モデルから製作される物理モデルにおいて、前記着脱可能構成要素と前記空洞壁との間の前記間隙を横断して延在し、それにより、該支持要素は、前記空洞の中に該着脱可能構成要素を支持し、位置付ける、請求項１〜４のうちのいずれかに記載のコンピュータ実装方法。
【請求項６】
前記支持要素は、前記着脱可能構成要素と前記空洞との間に摩擦を提供する１つ以上の摩擦点を含む、請求項５に記載のコンピュータ実装方法。
【請求項７】
前記支持要素は、前記着脱可能構成要素の基部の各々の実質的に真っ直ぐな側面に対応する位置に配設される、請求項１〜６のうちのいずれかに記載のコンピュータ実装方法。
【請求項８】
前記支持要素は、前記着脱可能構成要素の基部の角に対応する位置に配設される、請求項１〜７のうちのいずれかに記載のコンピュータ実装方法。
【請求項９】
前記支持要素は、２つの支持要素が、実質的に、前記着脱可能構成要素の反対側に、または該着脱可能構成要素に関連して配設されるように配設される、請求項１〜８のうちのいずれかに記載のコンピュータ実装方法。
【請求項１０】
前記支持要素は、相互に等間隔の距離で配設される、請求項１〜９のうちのいずれかに記載のコンピュータ実装方法。
【請求項１１】
前記支持要素の間の前記距離は、前記空洞の前記壁に沿って測定される、請求項１〜１０のうちのいずれかに記載のコンピュータ実装方法。
【請求項１２】
前記支持要素は、切断角錐として、または正方形の錐台もしくは長方形の錐台として形成される、請求項１〜１１のうちのいずれかに記載のコンピュータ実装方法。
【請求項１３】
前記切断角錐または正方形の錐台あるいは長方形の錐台は、それらが上に生成される最も幅の広い部分が前記着脱可能構成要素および前記空洞壁のうちの１つに配設されるように配設され、および最も幅の狭い部分が該着脱可能構成要素および該空洞壁のうちの他方への前記接触面積に配設される、請求項１２に記載のコンピュータ実装方法。
【請求項１４】
前記支持要素の高さは、例えば、約０．１ｍｍから約１．５ｍｍまでの範囲、約０．２ｍｍから約１ｍｍまでの範囲のように、約０．０５ｍｍから約２ｍｍまでの範囲内にある、請求項１〜１３のうちのいずれかに記載のコンピュータ実装方法。
【請求項１５】
Ｎｅｌｅｍ個の支持要素は、前記着脱可能構成要素および／または前記空洞壁の上に提供され、Ｎｅｌｅｍは、３、４、６、８、９、１０、１２、または１６のグループから選択される、請求項１〜１４のうちのいずれかに記載のコンピュータ実装方法。
【請求項１６】
前記モデルは、２つ以上の着脱可能構成要素を含む、請求項１〜１５のうちのいずれかに記載のコンピュータ実装方法。
【請求項１７】
前記着脱可能構成要素は、１本、２本、またはそれ以上の歯を含む、請求項１〜１６のうちのいずれかに記載のコンピュータ実装方法。
【請求項１８】
前記支持要素の部分から前記着脱可能構成要素の位置に向かって前記空洞の表面まで、一定の距離がある、請求項１〜１７のうちのいずれかに記載のコンピュータ実装方法。
【請求項１９】
前記空洞壁の輪郭は、外側曲線に従い、前記着脱可能構成要素の輪郭は、内側曲線に従い、該内側曲線は、該外側曲線の内側に配設され、および該内側曲線は、前記間隙が該輪郭に沿って実質的に一定の幅を有するように、該外側曲線と実質的に平行である、請求項１〜１８のうちのいずれかに記載のコンピュータ実装方法。
【請求項２０】
前記着脱可能構成要素の上に生成される支持要素は、前記外側曲線と実質的に整列されている前記接触面積内の表面を含み、それにより、これらの支持要素は、該接触面積において前記空洞壁の表面と平行である該接触面積内の表面を有するよう成形される、請求項１９に記載のコンピュータ実装方法。
【請求項２１】
支持要素は、前記空洞の前記壁の上に生成され、および前記内側曲線と実質的に整列されている前記接触面積内の表面を含み、それにより、これらの支持要素は、該接触面積において前記着脱可能構成要素の表面と平行である該接触面積内の表面を有するよう成形される、請求項１９または２０に記載のコンピュータ実装方法。
【請求項２２】
前記方法は、前記着脱可能構成要素の前記基部にピンを提供することを含み、該ピンは、その断面形状が該着脱可能構成要素の該基部の断面形状に似ているように成形され、該ピンの該断面形状は、該着脱可能構成要素の該基部の該断面形状よりも小さい、請求項１〜２１のうちのいずれかに記載のコンピュータ実装方法。
【請求項２３】
前記仮想モデルを提供することは、前記一組の歯の仮想表現から前記仮想モデルを生成することを含む、請求項１〜２２のうちのいずれかに記載のコンピュータ実装方法。
【請求項２４】
前記一組の歯の前記仮想表現は、口腔内スキャナを用いて該一組の歯をスキャンすることによって、または該一組の歯の印象をスキャンすることによって提供される、請求項１〜２３のうちのいずれかに記載のコンピュータ実装方法。
【請求項２５】
前記方法は、前記仮想モデル上に曲線を画定することと、この曲線の外側にある可視化から該モデルの全てを除去することとを含む、請求項１〜２４のうちのいずれかに記載のコンピュータ実装方法。
【請求項２６】
前記方法は、着脱可能構成要素の質量中心に基づいて、該着脱可能構成要素に対する限界線を自動的に画定することを含む、請求項１〜２５のうちのいずれかに記載のコンピュータ実装方法。
【請求項２７】
前記方法は、視野方向に隣接する歯を自動的に除去することを含むことにより、ユーザは、限界線を編集するための前記モデルの損なわれていない視野を有することができる、請求項１〜２６のうちのいずれかに記載のコンピュータ実装方法。
【請求項２８】
前記方法は、歯肉に対応する前記モデルの部分のうちの一部を除去することを含むことにより、ユーザは、前記物理モデルから前記着脱可能構成要素を取り出すことがより容易になる、請求項１〜２７のうちのいずれかに記載のコンピュータ実装方法。
【請求項２９】
前記方法は、挿入方向に対応する円筒を画定することを含むことにより、前記着脱可能構成要素を前記モデルに取り入れるか、または該モデルから取り出すときに、前記隣接する歯が影響を受けるか否かがチェックされることができる、請求項１〜２８のうちのいずれかに記載のコンピュータ実装方法。
【請求項３０】
前記方法は、アンタゴニストが可視化されるように、一組の歯全体のスキャンを適用することと、該一組の歯全体を咬合試験することができるように、仮想咬合器を提供することとを含む、請求項１〜２９のうちのいずれかに記載のコンピュータ実装方法。
【請求項３１】
前記方法は、３次元プリントまたはミリングを用いて、前記物理モデルを製作することを含む、請求項１〜３０のうちのいずれかに記載のコンピュータ実装方法。
【請求項３２】
前記方法は、特定の製作過程を用いて製作されるように前記モデルを設計および適合することを含む、請求項１〜３１のうちのいずれかに記載のコンピュータ実装方法。
【請求項３３】
前記方法は、前記着脱可能構成要素から離れる方向を向く前記モデルの前記歯肉部分の中に穿孔を設計することを含み、それにより、使用される材料の量を減少させるために、前記製作過程において使用される流体が、該モデルから流出することを許可される、請求項１〜３１のうちのいずれかに記載のコンピュータ実装方法。
【請求項３４】
前記方法は、上顎の歯のモデルと下顎の歯のモデルとを接続するためのコネクタを画定することを含むことにより、該２つのモデルが解剖学的に正しい態様で相互に取り付けられるよう適合される、請求項１〜３３のうちのいずれかに記載のコンピュータ実装方法。
【請求項３５】
一組の歯の物理モデルを製作するために該一組の歯の仮想モデルを生成することについてのコンピュータ実装方法であって、該方法は、
該一組の歯の仮想モデルを生成することであって、該仮想モデルは、該一組の歯の仮想表現に基づいている、ことと、
少なくとも１本の歯が、該モデルの中の着脱可能構成要素の一部として配設されるように構成されることを提供することであって、各着脱可能構成要素は、該モデルの歯肉部分の中の対応する空洞の中に嵌合するように適合される、ことと、
該着脱可能構成要素の各々を、該モデルの中のそれらの対応する空洞の中に支持および位置付けるための手段を提供することと、
該着脱可能構成要素の基部にピンを提供することと
を含む、方法。
【請求項３６】
前記ピンは、その断面形状が前記着脱可能構成要素の前記基部の断面形状に似ているように成形される、請求項３５に記載のコンピュータ実装方法。
【請求項３７】
各着脱可能構成要素を、前記モデルの中のその対応する空洞の中に支持および位置付けるための前記手段は、支持要素を含む、請求項３５または３６に記載のコンピュータ実装方法。
【請求項３８】
前記少なくとも１本の歯は、歯の調整を含む、請求項１〜３７のうちのいずれかに記載のコンピュータ実装方法。
【請求項３９】
プログラムコード手段を含むコンピュータプログラム製品であって、該プログラムコード手段は、該プログラムコード手段がデータ処理システム上で実行されるときに、該データ処理システムに請求項１−３８のうちのいずれか一項に記載の方法を行わせる、製品。
【請求項４０】
コンピュータ可読媒体を含み、該コンピュータ可読媒体は、その上に記憶された前記プログラムコード手段を有する、請求項３９に記載のコンピュータプログラム製品。
【請求項４１】
一組の歯の物理モデルを製作するために該一組の歯の仮想モデルを生成するためのシステムであって、該システムは、
該一組の歯の仮想モデルを生成するための手段であって、該仮想モデルは、該一組の歯の仮想表現に基づいている、手段と、
少なくとも１本の歯が、該モデルの中の着脱可能構成要素の一部として配設されるように構成されることを提供するための手段であって、該着脱可能構成要素が、該モデルの歯肉部分の中の対応する空洞の中に嵌合するように適合されることにより、該着脱可能構成要素と空洞壁との間の界面が画定され、該着脱可能構成要素と該空洞とは、該界面において間隙を提供する、手段と、
各着脱可能構成要素を、該モデルの中のそれらの対応する空洞の中に支持および位置付けるための手段を提供するための手段であって、該支持および位置付けるための手段が、該着脱可能構成要素および該空洞壁のうちの一方に提供されることにより、該支持および位置付けるための手段は、該着脱可能構成要素と該空洞壁との間の該間隙を横断して延在する、手段と、
該支持および位置付けるための手段を構成するための手段であって、該構成により、該界面における該着脱可能構成要素と該空洞壁との間の接触面積が、該支持および位置付けるための手段と該着脱可能構成要素および該空洞壁のうちの他方との隣接表面の形状によって制御される、手段と
を含む、システム。
【請求項４２】
一組の歯の仮想モデルを生成することについてのコンピュータ実装方法であって、該仮想モデルは、該一組の歯の仮想表現に基づいており、該仮想モデルは、該一組の歯の物理モデルを製作するために使用されるように適合され、該方法は、
該仮想モデルの１本以上の歯が、該物理モデルの中の１つ以上の着脱可能構成要素として配設されるように構成されることに提供することと、
該物理モデルの中に該着脱可能構成要素のそれぞれを支持および位置付けるための手段を提供することと
を含む、方法。
【請求項４３】
空洞が前記モデルの歯肉部分の中に形成され、該空洞は、空洞壁を含み、前記支持および位置付けるための手段は、該支持および位置付けるための手段が前記着脱可能構成要素および該空洞壁のうちの一方の上に生成されることにより、該着脱可能構成要素と該空洞壁との間の前記間隙を横断して延在し、前記界面における該着脱可能構成要素と該空洞壁との間の接触面積は、該支持および位置付けるための手段と該着脱可能構成要素および該空洞壁のうちの他方との隣接表面の形状によって制御される、請求項４２に記載のコンピュータ実装方法。
【請求項４４】
前記方法は、前記着脱可能構成要素が、患者の口の中の実際の解剖学的な歯の位置に対応して前記物理モデルの中に解剖学的に正しく位置付けられるように、該着脱可能構成要素および前記支持および位置付けるための手段が製作されることを含む、請求項１〜４３のうちのいずれかに記載のコンピュータ実装方法。
【請求項４５】
前記方法は、前記着脱可能構成要素が前記物理モデルの中のその正しい解剖学的位置に配設されるときに、該モデルの中の該着脱可能構成要素の可視的な部分の形状が、実際の解剖学的な歯の可視的な部分に対応することを提供することを含み、それにより、いずれの歯肉も該着脱可能構成要素の一部ではない、請求項１〜４４のうちのいずれかに記載のコンピュータ実装方法。
【請求項４６】
前記着脱可能構成要素の前記正しい解剖学的位置は、前記モデルに対する高さに関するか、該モデルの中に配置されたときに該着脱可能構成要素が回転できないことを確実にすることによって制御することができる水平位置に関するか、および／または該モデルの中の該着脱可能構成要素と前記対応する空洞との間の摩擦に関する、請求項１〜４５のうちのいずれかに記載のコンピュータ実装方法。
【請求項４７】
前記方法は、少なくとも１本の歯が前記物理モデルに着脱可能に挿入されない、すなわち、該歯が該モデルから除去することができないが、該モデルの一部として製作され、したがって、該モデルの中に固定されることを含む、請求項１〜４６のうちのいずれかに記載のコンピュータ実装方法。
【請求項４８】
前記方法は、前記着脱可能構成要素がいずれのピンも持たないように製作されることを含む、請求項１〜４７のうちのいずれかに記載のコンピュータ実装方法。
【請求項４９】
前記方法は、前記モデルを製作する前に、前記着脱可能構成要素の周囲に該モデルの前記歯肉部分をデジタル的に再配置することを含む、請求項１〜４８のうちのいずれかに記載のコンピュータ実装方法。
【請求項５０】
前記モデルの前記歯肉部分をデジタル的に再配置することは、該モデルの該歯肉部分を、前記着脱可能構成要素から離れるように、および該着脱可能構成要素までデジタル移動させることを含む、請求項１〜４９のうちのいずれかに記載のコンピュータ実装方法。
【請求項５１】
前記方法は、前記モデルの歯が、比較的硬質であり、あまり可撓性ではない材料で製作され、少なくとも、前記着脱可能構成要素の周りの該モデルの前記歯肉が、比較的軟質であり、より可撓性の材料で製作されることを含む、請求項１〜５０のうちのいずれかに記載のコンピュータ実装方法。
【請求項５２】
前記界面によって画定される平面内の前記支持要素の形状は、棒状、正方形、長円形、星形、および／または三角形である、請求項１〜５１のうちのいずれかに記載のコンピュータ実装方法。
【請求項５３】
前記方法は、緊密な嵌合が前記空洞と前記着脱可能構成要素との間に作成されるように、該着脱可能構成要素が該空洞の中に配設されるときに、前記空洞壁上に生成される支持要素の体積が、該着脱可能構成要素の体積と少なくとも部分的に重複するように製作されることを含む、請求項１〜５２のうちのいずれかに記載のコンピュータ実装方法。
【請求項５４】
前記方法は、着脱可能構成要素上に生成される支持要素の体積が前記空洞壁の体積と少なくとも部分的に重複するように製作されることにより、該着脱可能構成要素が前記空洞の中に配設されるときに、緊密な嵌合が該空洞と該着脱可能構成要素との間に作成されることを含む、請求項１〜５３のうちのいずれかに記載のコンピュータ実装方法。
【請求項５５】
前記重複の体積は、操作者によって制御されるように適合される、請求項１〜５４のうちのいずれかに記載のコンピュータ実装方法。
【請求項５６】
前記方法は、前記モデルの前記歯肉部分が側方排出孔を含み、該孔を通して前記物理モデルの中の前記着脱可能構成要素が接触され、その空洞から排出されることができることを含む、請求項１〜５５のうちのいずれかに記載のコンピュータ実装方法。
【請求項５７】
前記方法は、前記着脱可能構成要素が前記モデルの前記空洞の中に配設されるときに、該着脱可能構成要素が、該モデルの前記歯肉部分の前記側方排出孔に連続して配設されるように適合される孔を含むことを提供することを含む、請求項１〜５６のうちのいずれかに記載のコンピュータ実装方法。
【請求項５８】
前記側方排出孔は、ツールが前記モデルの一部分を通過することができるように配設され、該モデルは、該着脱可能構成要素と、該着脱可能構成要素が中に配設される前記空洞を包囲する該モデルの前記歯肉部分との両方を含み、それにより、該ツールは、該一部分の片側に挿入することができ、および該着脱可能構成要素の反対側に配設された該一部分の側面まで該一部分を通過することができる、請求項１〜５７のうちのいずれかに記載のコンピュータ実装方法。
【請求項５９】
前記方法は、前記モデルの前記歯肉部分の表面から前記着脱可能構成要素のための前記空洞まで通過する貫通孔として、該モデルの該歯肉部分の中に該孔を配設することと、止まり孔として、該着脱可能構成要素の中に該孔を配設することとを含む、請求項１〜５８のうちのいずれかに記載のコンピュータ実装方法。
【請求項６０】
前記方法は、前記モデルの前記歯肉部分の表面から前記着脱可能構成要素のための前記空洞まで通過する貫通孔として、該モデルの該歯肉部分の中に該孔を配設することと、貫通孔として、該着脱可能構成要素の中に該孔を配設することとを含む、請求項１〜５９のうちのいずれかに記載のコンピュータ実装方法。
【請求項６１】
前記方法は、前記モデルの前記歯肉部分の中に前記着脱可能構成要素を配設することを含み、それにより、該モデルの中の隣接する歯と対立すること、または隣接する歯によって阻止されることなく、該着脱可能構成要素が該モデルの該歯肉部分に挿入され、およびそこから着脱されるように適合される、請求項１〜６０のうちのいずれかに記載のコンピュータ実装方法。
【請求項６２】
前記方法は、前記モデルの前記歯肉部分の中に前記着脱可能構成要素を配設することを含み、該着脱可能構成要素の挿入方向は、前記一組の歯のうちの実際の解剖学的な歯の挿入方向に対応する、請求項１〜６２のうちのいずれかに記載のコンピュータ実装方法。
【請求項６３】
前記方法は、前記モデルの前記歯肉部分の中に前記着脱可能構成要素を配設することを含み、それにより、該着脱可能構成要素の挿入方向が傾斜しているので、該モデルの中の隣接する歯と対立すること、または隣接する歯によって阻止されることなく、該着脱可能構成要素が該モデルの該歯肉部分に挿入され、およびそこから除去されるよう適合される、請求項１〜６２のうちのいずれかに記載のコンピュータ実装方法。
【請求項６４】
前記方法は、前記モデルの前記歯肉部分が、前記空洞の中に配設されるときに前記着脱可能構成要素用の停止部として機能する停止表面を含むことを提供することを含み、それにより、該着脱可能構成要素が、該着脱可能構成要素の正しい解剖学的高さが対応するよりもさらに該モデルの該歯肉部分の中に押し込まれることが阻止される、請求項１〜６３のうちのいずれかに記載のコンピュータ実装方法。
【請求項６５】
前記停止表面は、平面および水平である、請求項１〜６４のうちのいずれかに記載のコンピュータ実装方法。
【請求項６６】
前記方法は、前記モデルが３Ｄプリントされるときに、前記停止表面の少なくとも一部が、該モデルの残りの部分に対して水平であることを含む、請求項１〜６５のうちのいずれかに記載のコンピュータ実装方法。
【請求項６７】
前記方法は、前記停止表面が、前記モデルの残りの部分にも存在するプリント層に配設されることを含む、請求項１〜６６のうちのいずれかに記載のコンピュータ実装方法。
【請求項６８】
前記方法は、前記着脱可能構成要素が、該着脱可能構成要素が前記モデルの中のその対応する空洞の中に配設されるときに可視的である最上部分と、該着脱可能構成要素が該モデルの中のその対応する空洞の中に配設されるときに該モデルの前記歯肉部分によって隠され、したがって不可視的ではない底部分とを有することを提供することを含む、請求項１〜６７のうちのいずれかに記載のコンピュータ実装方法。
【請求項６９】
前記方法は、少なくとも前記着脱可能構成要素の前記底部分が、実質的に円筒形であることを提供することを含む、請求項１〜６８のうちのいずれかに記載のコンピュータ実装方法。
【請求項７０】
前記方法は、少なくとも前記着脱可能構成要素の前記底部分が、実質的に長方形であることを提供することを含む、請求項１〜６９のうちのいずれかに記載のコンピュータ実装方法。
【請求項７１】
前記方法は、前記着脱可能構成要素の断面積が、該着脱可能構成要素の部分に沿って一定であり、該着脱可能構成要素がその空洞の中に挿入されるときに、前記界面に配設されることを含む、請求項１〜７０のうちのいずれかに記載のコンピュータ実装方法。
【請求項７２】
前記方法は、前記断面積の形状が、前記着脱可能構成要素がその空洞に挿入されるときに、前記界面に配設される該着脱可能構成要素の部分に沿って一定であることを含む、請求項１〜７１のうちのいずれかに記載のコンピュータ実装方法。
【請求項７３】
前記方法は、前記モデルの中の前記着脱可能構成要素の１本以上の隣接する歯が、前記モデルに着脱可能に挿入されるように適合されることを提供することを含む、請求項１〜７２のうちのいずれかに記載のコンピュータ実装方法。
【請求項７４】
前記方法は、前記着脱可能構成要素が、解剖学的層、限界線層、接続層、および基層を含むことを提供することを含む、請求項１〜７３のうちのいずれかに記載のコンピュータ実装方法。
【請求項７５】
前記着脱可能構成要素は、作業空間を提供するために、前記限界線層と前記接続層との間に配設される溝層を含む、請求項１〜７４のうちのいずれかに記載のコンピュータ実装方法。
【請求項７６】
前記方法は、各着脱可能構成要素上に識別タグを提供することを含む、請求項１〜７５のうちのいずれかに記載のコンピュータ実装方法。
【請求項７７】
前記方法は、各着脱可能構成要素上に識別番号を提供することと、各着脱可能構成要素に対する前記モデルの中の対応する空洞に対応する識別番号を提供することとを含む、請求項１〜７６のうちのいずれかに記載のコンピュータ実装方法。
【請求項７８】
前記方法は、前記モデルの前記歯肉部分に対して前記着脱可能構成要素を正しく配設するために、該着脱可能構成要素および該モデルの該歯肉部分上に視覚ガイドラインを提供することを含む、請求項１〜７７のうちのいずれかに記載のコンピュータ実装方法。
【請求項７９】
前記方法は、中空であるように前記モデルを製作することを含む、請求項１〜７８のうちのいずれかに記載のコンピュータ実装方法。
【請求項８０】
前記方法は、コネクタピンを前記モデルに提供することを含む、請求項１〜７９のうちのいずれかに記載のコンピュータ実装方法。
【請求項８１】
前記方法は、特定の咬合器に合致するように適合される界面を前記モデルに提供することを含む、該特定の咬合器において前記患者の咬合が試験される、請求項１〜８０のうちのいずれかに記載のコンピュータ実装方法。
【請求項８２】
前記方法は、前記モデルの前記界面に合致する咬合器プレートを製作することを含む、請求項１〜８１のうちのいずれかに記載のコンピュータ実装方法。
【請求項８３】
１つの支持要素に対する接触面積は、例えば、０．１ｍｍ２から約２０ｍｍ２までの範囲、０．５ｍｍ２から約１０ｍｍ２までの範囲のように、約０．０１ｍｍ２から約４０ｍｍ２までの範囲内にある、請求項１〜８２のうちのいずれかに記載のコンピュータ実装方法。
【請求項８４】
前記接触面積の範囲内の前記支持要素の幅は、例えば、約０．１ｍｍから約２ｍｍまでの範囲のように、約０．０１ｍｍから約４ｍｍまでの範囲内にある、請求項１〜８３のうちのいずれかに記載のコンピュータ実装方法。
【請求項８５】
前記接触面積の範囲内の前記支持要素の長さは、例えば、約０．１ｍｍから約１０ｍｍの範囲のように、約０．０１ｍｍから約２０ｍｍまでの範囲内にある、請求項１〜８４のうちのいずれかに記載のコンピュータ実装方法。
【請求項８６】
一組の歯の物理モデルを製作するために該一組の歯の仮想モデルを生成することについてのコンピュータ実装方法であって、該方法は、
該一組の歯の仮想モデルを提供することと、
少なくとも１本の歯が、該モデルの中の着脱可能構成要素の一部として配設されるように構成されることを提供することであって、該着脱可能構成要素が、該モデルの歯肉部分の中の対応する空洞の中に嵌合するように適合されることにより、該着脱可能構成要素と空洞壁との間の界面が画定される、ことと、
該モデルの中の該空洞の中に該着脱可能構成要素を支持および位置付けるための手段を提供することと、
該着脱可能構成要素と該空洞壁との間の接触面積が、該界面の面積よりも小さくなるように、該支持および位置付けるための手段を構成することと
を含む、方法。
【請求項８７】
一組の歯の仮想モデルを改良するためのコンピュータ実装方法であって、該方法は、
一組の歯の仮想モデルを提供することであって、該モデルは、歯肉部分と、着脱可能構成要素の一部であるように構成される少なくとも１本の歯とを含み、該着脱可能構成要素に対応する空洞が、該歯肉部分の中に画定され、該空洞は、空洞壁を含み、該着脱可能構成要素は、該空洞の中に嵌合するように適合されることにより、該着脱可能構成要素と該空洞壁との間の界面が画定される、ことと、
該仮想モデルから製作される物理モデルにおいて、支持要素が該着脱可能構成要素と該空洞壁との間の間隙を横断して延在するように、該着脱可能構成要素および該空洞壁のうちの一方の上に支持要素を生成することによって、該仮想モデルを改良することであって、それにより、該支持要素は該空洞の中に該着脱可能構成要素を支持および位置付ける、ことと
を含み、
該界面における該着脱可能構成要素と該空洞壁との間の接触面積は、該支持要素と該着脱可能構成要素および該空洞壁のうちの他方との隣接表面の形状によって制御され、該支持要素は、該支持要素がない仮想モデルから形成される物理モデルと比較して、該改良された仮想モデルから製作される物理モデルにおいて、該接触面積の制御された縮小を可能にする、方法。
【請求項８８】
前記接触面積と前記空洞壁の面積との比は、例えば、約０．８以下、約０．７以下、約０．６以下、約０．５以下、約０．４以下、約０．３以下、約０．２以下、約０．１以下、約０．０５以下、約０．０２以下のように、約０．９以下である、請求項１〜８７のうちのいずれかに記載のコンピュータ実装方法。
【請求項８９】
前記接触面積と前記界面の面積との間の比は、例えば、約０．８以下、約０．７以下、約０．６以下、約０．５以下、約０．４以下、約０．３以下、約０．２以下、約０．１以下、約０．０５以下、約０．０２以下のように、約０．９以下である、請求項１〜８８のうちのいずれかに記載のコンピュータ実装方法。
【請求項９０】
一組の歯の物理モデルであって、該物理モデルは、
少なくとも１本の歯と、
歯肉部分であって、空洞が画定され、該空洞は空洞壁を含む、歯肉部分と
を含み、
該歯が、該歯肉部分の中の該空洞の中に嵌合するように適合される着脱可能構成要素の一部であるように構成されることにより、該着脱可能構成要素と該空洞壁との間の界面が提供され、仮想モデルから製作される物理モデルにおいて、支持要素が、該着脱可能構成要素と該空洞壁との間の間隙を横断して延在するように該着脱可能構成要素および該空洞壁のうちの一方が支持要素を含むことにより、該支持要素が、該空洞の中に該着脱可能構成要素を支持および位置付け、
該界面における該着脱可能構成要素と該空洞壁との間の接触面積は、該支持要素と該着脱可能構成要素および該空洞壁のうちの他方との隣接表面の形状によって制御される、物理モデル。
【請求項９１】
一組の歯の物理モデルであって、該物理モデルは、請求項１−８９のうちのいずれかに記載の方法によって生成される仮想モデルから製作される。
【請求項９２】
前記着脱可能構成要素が、請求項１〜９１のうちのいずれかに記載の一組の歯の物理モデルの中に配設されるときに、請求項１〜９１のうちのいずれかに記載の着脱可能構成要素を排出するための排出ツール。
【請求項９３】
細長い構成要素を含み、該細長い構成要素は、前記モデルの前記歯肉部分の貫通孔の中に嵌合するように適合される、請求項９２に記載の排出ツール。
【請求項９４】
細長い構成要素を含み、該細長い構成要素は、前記着脱可能構成要素の止まり孔および／または貫通孔の中に嵌合するように適合される、請求項９２または９３に記載の排出ツール。
【発明の詳細な説明】
【技術分野】
【０００１】
（発明の分野）
本発明は、概して、一組の歯の物理モデルを製作するために一組の歯の仮想モデルを生成するためのコンピュータ実装方法およびシステムに関し、ならびに一組の歯の物理モデルに関する。
【背景技術】
【０００２】
患者が、クラウン、ブリッジ、支台、またはインプラント等の歯の修復を必要とするときに、歯科医が歯を調整する、例えば、クラウンを上に接着することができる調整を作製するために損傷した歯が研削される。代替的な治療は、患者の顎にチタンネジ等のインプラントを挿入し、インプラント上にクラウンまたはブリッジを載置することである。歯を調整した、またはインプラントを挿入した後に、歯科医は、三重トレイとしても知られている両面トレイの中に、上顎、下顎、およびバイトレジストレーションの印象、または単一の印象を作製することができる。
【０００３】
印象は、修復を製作する歯科技工士に送られる。修復を製作する第１のステップは、従来、それぞれ、上および下顎の印象から上および下歯科モデルを成型することである。モデルは通常、石膏でできており、しばしば、バイトレジストレーションを使用して歯科咬合器の中で整列させられる。咬合器は、実際の噛合および咀嚼運動をシミュレートする。歯科技工士は、良い外観および噛合機能性を確保するように、咬合器の内側で歯の修復を構築する。咬合器の中の模型の適正な整合が、最終的な修復のために重要である。
【０００４】
歯の修復を製作するためのＣＡＤ技術が急速に広がっており、品質を向上させ、費用を削減し、そうでなければ利用可能ではない魅力的な材料で製作する可能性を促進している。ＣＡＤ製作過程における第１のステップは、患者の歯の３Ｄ仮想モデルを作成することである。これは従来、歯科石膏モデルの一方または両方を３Ｄスキャンすることによって行われている。歯の３Ｄレプリカが、ＣＡＤプログラムにインポートされ、そこで、ブリッジ基礎構造等の歯の修復全体が設計される。次いで、例えば、ミリング盤、３Ｄプリンタ、ラピッドプロトタイピング製作、または他の製作機器を使用して、最終修復３Ｄ設計が製作される。歯の修復のための精度要件は非常に高く、そうでなければ、歯の修復は、視覚的に魅力的ではなくなり、歯の上に嵌合せず、苦痛を引き起こし得る、または感染症を引き起こし得る。
【０００５】
特許文献１は、歯科印象の正確な３次元モデルを取得するための方法に関し、該方法は、上顎印象および／または下顎印象の少なくとも一部をスキャンするステップと、印象スキャンを取得するステップと、印象スキャンの品質を評価するステップと、３次元モデルを取得するために印象スキャンを使用し、それにより、歯科印象の正確な３次元モデルを取得するステップとを含む。
【０００６】
特許文献２は、着脱可能性の個別歯モデル（１４）のペグが嵌合される、溝（１２）を含む歯肉の形状の弾性的に変形可能なゴム入り材料の基部（１０）でできている、歯モデルを開示する。各ペグ（１４）は、段部（２０、２２）を含み、溝は、適所に保持されるよう、各ペグが突起を通り過ぎてスロットの中へ押し進められなければならないように、それと協働するための外側突起（３０、３２）を有する。模造歯肉を形成する材料の自然な弾性は、スロットから各歯を押し出し、それにより、突起を変形させることによって、歯が除去されることを可能にするようなものである。各歯は、模造歯肉から個別に着脱可能であり、各歯の可視的なクラウンが通常の生体構造に従って異なる一方で、各歯のペグは同一であり、したがって、各歯の正しい位置に関する指示を研究者に提供しない。
【０００７】
特許文献３は、特に実践目的で、歯科モデルが提供され、義歯用の陥凹を有する支持プレートを有し、義歯のそれぞれは、関連陥凹の中へ嵌合する歯の残根を有することを開示する。歯肉塊が、一列の歯のうちの歯および陥凹の両方に重複する。歯はそれぞれ、摩擦により、プレート上に、およびそれらの関連陥凹の中に係脱可能に担持される。
【０００８】
特許文献４は、歯列矯正患者のための治療過程を開発する際に使用するためのコンピュータ実装方法を開示し、方法は、一組の初期位置における患者の歯を表す歯科モデル、および歯を包囲する歯肉組織を表す歯肉モデルを含む、患者の歯列のデジタルモデルを取得するステップと、歯が初期位置から別の一組の位置へ移動するにつれて、デジタルモデルから歯肉組織の期待変形を導出するステップとを含む。
【先行技術文献】
【特許文献】
【０００９】
【特許文献１】米国特許出願公開第２００９／２２０９１６号明細書
【特許文献２】英国特許出願公開第２１２２７９６号明細書
【特許文献３】米国特許出願公開第２００１／０４４０９２号明細書
【特許文献４】欧州特許第１１１９３０８（Ｂ）号明細書
【発明の概要】
【発明が解決しようとする課題】
【００１０】
修復および／または歯科治療を必要とする歯を備える一組の歯の仮想モデルを生成するため、および歯科技工士が、物理モデル上で歯の修復、例えば、クラウンを試験することができるように、そのような歯を備える一組の歯の物理モデルを生成するための代替的でより効率的な方法を提供する問題が残っている。
【課題を解決するための手段】
【００１１】
一組の歯の物理モデルを製作するために一組の歯の仮想モデルを生成するコンピュータ実装方法が開示され、方法は、
一組の歯の仮想モデルであって、歯肉部分と、モデルの中の着脱可能構成要素の一部であるように構成される歯とを備えるモデルを提供するステップと、
該歯肉部分に空洞を生成するステップであって、該空洞は、空洞壁を備え、着脱可能構成要素と空洞壁との間の界面が画定されるように、その空洞の中へ着脱可能構成要素が嵌合し、着脱可能構成要素および空洞は、該界面に間隙を提供するように構成される、ステップと、
空洞の中で着脱可能構成要素を支持および位置付けるための手段を提供するステップであって、仮想モデルから製作される物理モデルにおいて、支持および位置付けるための手段が、空洞の中で着脱可能構成要素を支持し、位置付けるように、支持および位置付けるための手段は、支持および位置付けるための手段が、該着脱可能構成要素と該空洞壁との間の該間隙を横断して延在するように、該着脱可能構成要素および該空洞壁のうちの一方の上に生成される、ステップと
を含み、
該界面における着脱可能構成要素と空洞壁との間の接触面積は、支持および位置付けるための手段と着脱可能構成要素および空洞壁のうちの他方との隣接表面の形状によって制御される。
【００１２】
支持および位置付けるための手段は、該着脱可能構成要素と該空洞壁との間の該間隙を横断して局所的に延在してもよく、すなわち、着脱可能構成要素の円周のいくつかの部分において、間隙が、支持および位置付けるための手段によって閉鎖されてもよい一方で、円周の他の部分において、間隙は依然として開いている。
【００１３】
いくつかの実施形態では、該支持および位置付けるための手段は、支持要素を備える。仮想モデルから製作される物理モデルにおいて、支持要素は、空洞の中で着脱可能構成要素を支持し、位置付ける支持要素であるように、該着脱可能構成要素と該空洞壁との間の該間隙を横断して延在してもよい。
【００１４】
一組の歯の物理モデルを製作するための一組の歯の仮想モデルを生成するコンピュータ実装方法が開示され、モデルは、１つ以上の歯の調整を備え、方法は、
一組の歯の仮想モデルを生成するステップであって、仮想モデルは、一組の歯の仮想表現に基づく、ステップと、
歯の調整のそれぞれが、モデルの中の着脱可能構成要素の一部として配設されるように構成されることを提供するステップであって、各着脱可能構成要素は、モデルの歯肉部分の中の対応する空洞の中へ嵌合するように適合される、ステップと、
着脱可能構成要素のそれぞれを、モデルの中のそれらの対応する空洞の中で支持および位置付けるための手段を提供するステップと
を含み、
方法は、
各着脱可能構成要素とその対応する空洞との間の接触面積が、着脱可能構成要素と空洞との間に接触がない面積よりも小さくなるように、支持および位置付けるための手段を構成するステップを含む。
【００１５】
一組の歯の仮想モデルを改良するためのコンピュータ実装方法が開示され、方法は、
一組の歯の仮想モデルを提供するステップであって、該モデルは、歯肉部分と、着脱可能構成要素の一部であるように構成される少なくとも１本の歯とを備え、着脱可能構成要素に対応する空洞が、該歯肉部分の中で画定され、該空洞は、空洞壁を備え、着脱可能構成要素は、着脱可能構成要素と空洞壁との間の界面が画定されるように、空洞の中へ嵌合するように適合される、ステップと、
支持および位置付けるための手段が、空洞の中で着脱可能構成要素を支持し、位置付けるように、仮想モデルから製作される物理モデルにおいて、支持および位置付けるための手段が、該着脱可能構成要素と該空洞壁との間の該間隙を横断して延在するように、該着脱可能構成要素および該空洞壁のうちの一方の上に支持および位置付けるための手段を提供することによって、仮想モデルを改良するステップと
を含み、
該界面における着脱可能構成要素と空洞壁との間の接触面積は、支持および位置付けるための手段と着脱可能構成要素および空洞壁のうちの他方との隣接表面の形状によって制御され、支持および位置付けるための手段は、該支持および位置付けるための手段がない仮想モデルから形成される物理モデルと比較して、改良された仮想モデルから製作される物理モデルにおいて、接触面積の制御された縮小を可能にする。
【００１６】
一組の歯の物理モデルを製作するための一組の歯の仮想モデルを生成するためのシステムが開示され、システムは、
一組の歯の仮想モデルを生成するための手段であって、仮想モデルは、一組の歯の仮想表現に基づく、手段と、
少なくとも１本の歯が、モデルの中の着脱可能構成要素の一部として配設されるように構成されることを提供するための手段であって、着脱可能構成要素は、着脱可能構成要素と空洞壁との間の界面が画定されるように、モデルの歯肉部分の中の対応する空洞の中へ嵌合するように適合され、着脱可能構成要素および空洞は、界面に間隙を提供する、手段と、
各着脱可能構成要素を、モデルの中のそれらの対応する空洞の中に支持および位置付けるための手段を提供するための手段であって、
支持および位置付けるための手段は、支持および位置付けるための手段が、該着脱可能構成要素と該空洞壁との間の該間隙を横断して延在するように、該着脱可能構成要素および該空洞壁のうちの一方の上に提供される、手段と、
該界面における着脱可能構成要素と空洞壁との間の接触面積が、支持および位置付けるための手段と着脱可能構成要素および空洞壁のうちの他方との隣接表面の形状によって制御されるように、支持および位置付けるための手段を構成するための手段と
を備える。
【００１７】
一組の歯の物理モデルが開示され、物理モデルは、
少なくとも１本の歯と、
歯肉部分であって、空洞が画定され、該空洞は、空洞壁を備える、歯肉部分と、
を備え、
該歯は、着脱可能構成要素と空洞壁との間の界面が提供されるように、歯肉部分の中の空洞の中へ嵌合するように適合される、着脱可能構成要素の一部であるように構成され、
支持および位置付けるための手段が、空洞の中で着脱可能構成要素を支持し、位置付けるように、仮想モデルから製作される物理モデルにおいて、支持および位置付けるための手段が、該着脱可能構成要素と該空洞壁との間の該間隙を横断して延在するように、該着脱可能構成要素および該空洞壁のうちの一方は支持要素を備え、
該界面における着脱可能構成要素と空洞壁との間の接触面積は、支持および位置付けるための手段と着脱可能構成要素および空洞壁のうちの他方との隣接表面の形状によって制御される。
【００１８】
一組の歯の物理モデルが開示され、物理モデルは、本発明による方法によって生成される仮想モデルから製作される。
【００１９】
本発明との関連で、「モデルの中の着脱可能構成要素であるように構成される」という語句は、歯をモデル（仮想および／または物理的）モデルから除去することができ、その後、モデルに再び挿入することができる状況を指し得る。歯は、着脱可能構成要素が、歯および基部を備えてもよいように、着脱可能構成要素に含まれてもよい。着脱可能構成要素は、歯から成ってもよい。着脱可能構成要素は、モデルの歯肉部分から着脱可能であってもよい。着脱可能構成要素は、着脱可能要素と空洞壁との間の摩擦によってモデルの歯肉部分に取り付けられてもよい。
【００２０】
本発明との関連で、「着脱可能構成要素の基部」は、「着脱可能構成要素の底部分」という語句と交換可能に使用されてもよい。
【００２１】
本発明との関連で、「モデル」という語句は、一組の歯の物理的および仮想発現の両方に関して使用されてもよい。いくつかの実施形態では、一組の歯の仮想モデルと物理モデルとの間の１対１の関係である。
【００２２】
いくつかの実施形態では、該支持および位置付けるための手段の少なくとも一部は、該界面における着脱可能構成要素と空洞壁との間の接触面積が、支持および位置付けるための手段および空洞壁の隣接表面の形状によって制御されるように、着脱可能構成要素の上で生成される。
【００２３】
いくつかの実施形態では、該支持および位置付けるための手段の少なくとも一部は、該界面における着脱可能構成要素と空洞壁との間の接触面積が、支持および位置付けるための手段および着脱可能構成要素の隣接表面の形状によって制御されるように、空洞壁の上で生成される。
【００２４】
空洞壁の上および／または着脱可能構成要素の上に生成される、支持および位置付けるための手段は、例えば、支持要素が、その上でそれが生成される構造の一部になるように、その上でそれらが生成される、ユニットの一体部分であってもよい。
【００２５】
モデルの着脱可能構成要素および歯肉部分の位置、およびそれらの間の空間は、着脱可能構成要素が最初にモデルの空洞の中へ完璧に嵌合するように、非常に正確であってもよい。その結果として、支持および位置付けるための手段を提供することによって、着脱可能構成要素は、空洞の中のいくつかの点において静置するのみであり、空洞の内面全体の上で静置しない、または内面全体に接触しないという利点があってもよい。したがって、過剰に堅く取り付けられる、または過剰に緩く取り付けられることなく、空洞の中へ完璧に嵌合するように着脱可能構成要素を提供することがより容易かつ確実であるという利点があってもよい。支持および位置付けるための手段は、着脱可能構成要素が空洞内で移動または移転しないように、空洞の中の適所に着脱可能構成要素を保持してもよい。これによって、着脱可能構成要素は、例えば、歯科技工士が歯の修復を調整するためのモデルを使用しているときに、モデル内で固定して取り付けられる。
【００２６】
着脱可能構成要素は、空洞と完全には接触しないが、あるいくつかの面積または領域内で部分的にのみ接触するという利点があってもよい。したがって、支持および位置付けるための手段が配設され、ここに接触がある点を除いて、着脱可能構成要素と空洞との間の間隙がある。
【００２７】
本発明との関連で、「空洞壁」という語句または「空洞壁」という同等物は、着脱可能構成要素および／または空洞自体の縦方向と実質的に平行である、空洞の内面の部分を指し得る。空洞壁は、空洞の中に配置する、または空洞から除去するときに、それに沿って着脱可能構成要素が移動させられる、空洞の内面の一部であってもよい。
【００２８】
空洞の断面形状は、空洞壁が、空洞壁全体を形成する１つの一貫した表面を備えるように、丸みを帯びてもよい。空洞の断面形状は、空洞壁をともに形成する、いくつかの側面を備える空洞の中等で、空洞壁の２つの部品をそれぞれ接続する角を備えてもよい。空洞は、例えば、空洞壁をともに形成する、４つの側面を有する長方形の断面を有してもよい。
【００２９】
接触は、空洞の表面、例えば、内側表面と、着脱可能構成要素の表面、例えば、外側または外部表面との間にあってもよい。内側表面は、空洞壁であってもよく、また、空洞の底部であってもよい。
【００３０】
物理モデルは、歯科技工士が患者の歯の修復を適合、試験、調整しているときに作業モデルとして使用することができる。したがって、着脱可能構成要素の一部は、歯の修復のために調整される、歯として成形されてもよく、したがって、歯の調整は元来、ブリッジ、クラウン等の歯の修復のために調整された歯である。
【００３１】
本発明との関連で、「底部」および「最上部」という語句は、モデルの一部の２つの対向端を指し得る。例えば、着脱可能構成要素は、底部分と、最上部分とを備えてもよく、「底部分」という語句は、その対応する空洞に挿入され、それにより、空洞と着脱可能構成要素との間の界面を画定する、着脱可能構成要素の部分を指し得る。着脱可能構成要素の「最上部分」は、着脱可能構成要素が、その対応する空洞に挿入されるときに、可視的である部分であってもよい。「底部」および「最上部」という語句は、モデルの部分の相対的配向を表すためのみに使用され、どの部分が他の部分よりも地面に近いかという制限を表さない。それを通って着脱可能構成要素が空洞に進入する開口部はまた、空洞の底部よりも地面に近く位置してもよく、またはその逆も同様である。
【００３２】
いくつかの実施形態では、接触面積と該空洞壁の面積との間の比は、例えば、約０．８以下、約０．７以下、約０．６以下、約０．５以下、約０．４以下、約０．３以下、約０．２以下、約０．１以下、約０．０５以下、約０．０２以下のように、約０．９以下である。
【００３３】
いくつかの実施形態では、接触面積と該界面の面積との間の比は、例えば、約０．８以下、約０．７以下、約０．６以下、約０．５以下、約０．４以下、約０．３以下、約０．２以下、約０．１以下、約０．０５以下、約０．０２以下のように、約０．９以下である。
【００３４】
いくつかの実施形態では、１つの支持要素の接触面積は、例えば、０．１ｍｍ２から約２０ｍｍ２までの範囲、０．５ｍｍ２から約１０ｍｍ２までの範囲のように、約０．０１ｍｍ２から約４０ｍｍ２までの範囲内にある。
【００３５】
いくつかの実施形態では、該接触面積内の該支持要素の幅は、例えば、約０．１から約２ｍｍまでの範囲のように、約０．０１ｍｍから約４ｍｍの範囲内にある。
【００３６】
いくつかの実施形態では、該接触面積内の支持要素の長さは、例えば、約０．１ｍｍから約１０ｍｍまでの範囲のように、約０．０１ｍｍから約２０ｍｍまでの範囲内にある。
【００３７】
いくつかの実施形態では、支持要素の高さは、例えば、約０．１ｍｍから約１．５ｍｍまでの範囲、約０．２ｍｍから約１ｍｍまでの範囲のように、約０．０５ｍｍから約２ｍｍまでの範囲内にある。
【００３８】
本発明との関連で、「支持要素の幅」という語句は、着脱可能構成要素と空洞壁との間の界面に沿った支持要素の断面寸法を指し得る。
【００３９】
本発明との関連で、「支持要素の長さ」という語句は、支持要素の長手寸法を指し得る。
【００４０】
本発明との関連で、「支持要素の高さ」という語句は、着脱可能構成要素と空洞壁との間の界面において、すなわち、着脱可能構成要素および／または空洞壁の表面と垂直に、間隙を横断する支持要素の断面寸法を指し得る。
【００４１】
いくつかの実施形態では、空洞壁の輪郭および着脱可能構成要素の輪郭は、平行であり、したがって、輪郭の間に一定の距離がある。そのような実施形態では、支持要素が２つの間の接触を提供する、支持要素を除いて、着脱可能構成要素と空洞壁との間に一定の距離がある。
【００４２】
本発明との関連で、「縦方向」という語句は、モデルの歯肉部分の中の除去構成要素の挿入方向を指し得る。
【００４３】
本発明との関連で、「断面」という語句は、縦方向と垂直である平面を指し得る。例えば、着脱可能要素の基部の断面形状は、基部と交差する、そのような平面内の基部の形状であってもよい。
【００４４】
いくつかの実施形態では、該支持および位置付けるための手段は、該空洞壁上に生成される。いくつかの実施形態では、該支持および位置付けるための手段は、該着脱可能構成要素上に生成される。いくつかの実施形態では、支持および位置付けるための手段は、空洞壁および着脱可能構成要素の両方の上で画定される。
【００４５】
一組の歯の仮想モデルを生成するコンピュータ実装方法を開示され、
仮想モデルは、一組の歯の仮想表現に基づき、仮想モデルは、一組の歯の物理モデルを製作するために使用されるように適合され、方法は、
仮想モデルの１本以上の歯が、物理モデルの中の１つ以上の着脱可能構成要素として配設されるように構成されることを提供するステップと、
着脱可能構成要素のそれぞれを、物理モデルの中で支持および位置付けるための手段を提供するステップと
を含む。
【００４６】
いくつかの実施形態では、空洞がモデルの歯肉部分の中に形成され、該空洞は、空洞壁を備え、該支持および位置付けるための手段は、支持および位置付けるための手段が、該着脱可能構成要素と該空洞壁との間の該間隙を横断して延在するように、着脱可能構成要素および空洞壁のうちの一方の上に生成され、該界面における着脱可能構成要素と空洞壁との間の接触面積は、支持および位置付けるための手段と着脱可能構成要素および空洞壁のうちの他方との隣接表面の形状によって制御される。
【００４７】
いくつかの実施形態では、該歯は、修復および／または歯科治療を必要とする歯を備え、歯科技工士が、物理モデル上で、歯の修復、例えば、クラウンを試験することができるように、そのような歯を備える一組の歯の物理モデルを生成するためである。
【００４８】
いくつかの実施形態では、支持要素等の支持および位置付けるための手段は、該界面における着脱可能構成要素の表面の形状および／または空洞壁の形状に似ているように、少なくとも部分的に成形される。成形は、解剖学的形状として画定されてもよい。支持要素は、接触面積内で、支持要素および着脱可能構成要素の表面が平行であるように成形されてもよい。支持要素は、支持要素および空洞壁の表面が平行であるように成形されてもよい。支持要素の形状は、その上でそれらが生成される、着脱可能構成要素および空洞壁のうちの１つの形状に従ってもよい。
【００４９】
いくつかの実施形態では、支持および位置付けるための手段は、着脱可能構成要素と空洞との間に摩擦を提供する、１つ以上の摩擦点を備える。この実施形態の利点は、着脱可能構成要素が空洞内で移動または移転しないように、摩擦点が、空洞の中の適所に着脱可能構成要素を保持するため、支持および位置付けるための手段としての機能も果たすことである。さらに、摩擦点は、仮想的に提供し、製作することが容易であってもよい。したがって、摩擦は、着脱可能構成要素および摩擦点が、わずかな距離、例えば、数ミリメートルで、相互に重複することにより作成される。
【００５０】
いくつかの実施形態では、支持要素は、着脱可能構成要素と空洞との間に摩擦を提供する、１つ以上の摩擦点を備える。
【００５１】
着脱可能構成要素と空洞壁との間の接触面積、したがって摩擦が、物理モデルと比較して低減されるように、支持要素は、着脱可能構成要素と空洞との間の界面のわずかのみを覆うように構成され、接触面積は、界面の面積と実質的に同一であり、したがって、仮想モデルから製作される物理モデルの歯肉部分からの歯のより容易な除去をもたらす。摩擦点等の支持要素は、着脱可能構成要素と空洞との間の摩擦の制御された低減を提供してもよい。
【００５２】
いくつかの実施形態では、支持要素は、着脱可能構成要素の基部のそれぞれの実質的に真っ直ぐな側面に対応する位置に配設される。
【００５３】
いくつかの実施形態では、支持要素は、着脱可能構成要素の基部の角に対応する位置に配設される。
【００５４】
いくつかの実施形態では、支持要素は、２つの支持要素が実質的に相互に対向しているように、配設される。
【００５５】
いくつかの実施形態では、支持要素は、２つの支持要素が、実質的に、着脱可能構成要素の反対側に、または着脱可能構成要素に対して配設されるように、配設される。
【００５６】
本発明との関連で、「着脱可能構成要素の反対側に、または着脱可能構成要素に対して配設される」という語句は、例えば、第１および第２の支持要素が、例えば、着脱可能構成要素の中心部分に対して着脱可能構成要素の反対側に配設される場合を指し得る。円形基部を備える着脱可能構成要素上で、該語句は、第１および第２の支持要素を接続する線が基部の中心を通過するように、第１および第２の支持要素が対角線上に配設される状況を指し得る。長方形の基部を備える着脱可能構成要素上で、該語句は、第１および第２の支持要素が基部の対向表面上に配設される状況を指し得る。
【００５７】
この実施形態の利点は、支持要素が相互の反対側に配設されるときに、空洞の中の着脱可能構成要素の非常に堅い取付を提供してもよい。
【００５８】
いくつかの実施形態では、支持要素は、相互まで等間隔の距離を伴って配設される。
【００５９】
いくつかの実施形態では、距離は、空洞の内面または着脱可能構成要素の外面に沿って測定される。
【００６０】
いくつかの実施形態では、支持要素は、切断角錐として、または正方形の錐台あるいは長方形の錐台として形成される。
【００６１】
実施形態の利点は、着脱可能構成要素および切断角錐が、わずかな距離、例えば、数ミリメートルで、相互に重複することにより、支持要素の摩擦が作成されることである。
【００６２】
いくつかの実施形態では、切断角錐、または正方形の錐台あるいは長方形の錐台は、空洞の表面に配設された最も幅の広い部分、および着脱可能構成要素が配設されるように構成される位置に向かった最も幅の狭い部分を伴って、配設される。
【００６３】
いくつかの実施形態では、切断角錐または正方形の錐台あるいは長方形の錐台は、その上でそれらが生成される、該着脱可能構成要素および該空洞壁のうちの一方において配設された最も幅の広い部分を伴って、かつ該着脱可能構成要素および該空洞壁のうちの他方への接触面積において最も幅の狭い部分を伴って、配設される。
【００６４】
いくつかの実施形態では、Ｎｅｌｅｍ個の支持要素は、着脱可能構成要素および／または空洞壁の上に提供される。数Ｎｅｌｅｍは、３、４、６、８、９、１０、１２、または１６のグループから選択される。
【００６５】
いくつかの実施形態では、方法は、３個の摩擦点、４個の摩擦点、６個の摩擦点、８個の摩擦点、９個の摩擦点、１０個の摩擦点、１２個の摩擦点、１６個の摩擦点、またはそれ以上の摩擦点を提供するステップを含む。
【００６６】
いくつかの実施形態では、モデルは、１本、２本、またはそれ以上の歯を備える、着脱可能構成要素を備える。
【００６７】
いくつかの実施形態では、モデルは、２つ以上の着脱可能構成要素を備える。着脱可能構成要素のそれぞれは、１本以上の歯を備えてもよい。
【００６８】
いくつかの実施形態では、空洞壁の輪郭は、外側曲線に従い、着脱可能構成要素の輪郭は、内側曲線に従い、内側曲線は、外側曲線の内側に配設される。
【００６９】
内側曲線および外側曲線は、支持および位置付けるための手段が、該間隙を横断して延在し、それを閉鎖する位置を除いて、該間隙が輪郭に沿って実質的に一定の幅を有するように、実質的に平行であってもよい。
【００７０】
いくつかの実施形態では、該着脱可能構成要素の上に生成される支持要素は、これらの支持要素が、接触面積において空洞壁の表面と平行である、接触面積内の表面を有するよう成形されるように、外側曲線と実質的に整合されている、接触面積内の表面を備える。
【００７１】
いくつかの実施形態では、支持要素は、該空洞壁の上に生成され、これらの支持要素が、接触面積において着脱可能構成要素の表面と平行である、接触面積内の表面を有するよう成形されるように、内側曲線と実質的に整合されている、接触面積内の表面を備える。
【００７２】
いくつかの実施形態では、着脱可能構成要素の位置に向かった支持要素の部分から空洞の表面まで、一定の距離がある。代替として、例えば、支持および位置付けるための手段の形状が、空洞の輪郭に従わないが、例えば、解剖学的形状を無視する真っ直ぐな線である場合、距離は一定ではない。
【００７３】
いくつかの実施形態では、方法は、４つの摩擦点を提供するステップを含む。
【００７４】
いくつかの実施形態では、方法は、各着脱可能構成要素の基部においてピンを提供するステップを含み、ピンは、その断面形状が着脱可能構成要素の基部の断面形状に似ているように、成形され、ピンの断面形状は、着脱可能構成要素の基部の断面形状よりも小さい。形状は、解剖学的形状として画定されてもよい。
【００７５】
この実施形態の利点は、例えば、物理モデルをプリントするときに、モデルの広範な領域を支持する必要性があることであるが、例えば、薄い、または小さい、従来の支持材は、モデルの空洞の中で静置する着脱可能構成要素の縁の質を劣化させ得る。支持ピンの幾何学形状が着脱可能構成要素の形状に適合されることを提供することによって、その縁の上で、従来型または従来の支持材を回避することができ、それにより、欠陥のリスクが低減される。ピンが大きくなるほど、それが壊れるというリスクが少なくなってもよい。
【００７６】
いくつかの実施形態では、方法は、一組の歯の仮想表現を提供するステップと、該仮想表現から該一組の歯の仮想モデルを形成するステップとを含む。
【００７７】
いくつかの実施形態では、一組の歯の仮想表現は、口腔内スキャナを用いて一組の歯をスキャンすることによって、または一組の歯の印象をスキャンすることによって提供される。一組の歯の仮想表現は、点集団を備えてもよい。したがって、仮想モデル、およびその後、物理モデルは、例えば、印象からモデルを成型することによって、モデルを作成する代わりに、例えば、印象のスキャンに基づいて作成されてもよい。この実施形態の利点は、モデルを印付けるときに、欠陥が出現している場合がある、成型または注入されたモデルをスキャンする代わりに、印象自体がスキャンされるため、より良好な精度が得られることである。さらに、印象から石膏でモデルを作製するという手動で時間のかかる作業が回避されるという利点があってもよい。したがって、この実施形態は、より単純で、おそらくより高速かつ安価な過程を提供する。印象から物理モデルを製作するための理由として、歯科技工士が、患者の歯の修復を適合させるときに、連動する物理モデルを有することを好んでもよい。この実施形態の利点は、顎の上下の部分の両方の表現を作成するように、印象をスキャンできることである。
【００７８】
この実施形態の利点は、仮想モデルが、印象のスキャンに基づいてソフトウェアで自動的に生成されることである。
【００７９】
いくつかの実施形態では、方法は、仮想モデル上で曲線を画定するステップと、この曲線の外側にある可視化からモデルの全てを除去するステップとを含む。この実施形態の利点は、モデル全体ではなく、ユーザが連動することを希望するモデルの部分のみが、可視化される、例えば、画面上で見られる、または示されることを可能にすることである。
【００８０】
いくつかの実施形態では、方法は、着脱可能構成要素の質量中心に基づいて、着脱可能構成要素の限界線を自動的に画定するステップを含む。
【００８１】
いくつかの実施形態では、方法は、ユーザが、限界線を編集するためのモデルの損なわれていない視野を有することができるように、視野方向に隣接する歯を自動的に除去するステップを含む。
【００８２】
いくつかの実施形態では、方法は、ユーザが物理モデルから着脱可能構成要素を取り出すことがより容易となるように、歯肉に対応するモデルの部分のうちのいくらかを除去するステップを含む。
【００８３】
いくつかの実施形態では、方法は、着脱可能構成要素をモデルに取り入れる、またはモデルから取り出すときに、隣接する歯が影響を受けるかどうかをチェックすることができるように、挿入方向に対応する円筒を画定するステップを含む。
【００８４】
いくつかの実施形態では、方法は、アンタゴニストが可視化されるように、一組の歯全体のスキャンを適用するステップと、一組の歯全体を咬合試験することができるように、仮想咬合器を提供するステップとを含む。
【００８５】
いくつかの実施形態では、方法は、３次元プリントまたはミリングを用いて、物理モデルを製作するステップを含む。３Ｄプリントまたはミリングの実施例は、高品質で、および／または高価な材料で、物理モデルの外側部分を製作することが可能であり、内側部分を、例えば、ワックス等のより安価な材料で製作することができる、インクジェット様の原理、標準３Ｄプリント、標準３Ｄミリング、一種のラピッドプロトタイピング過程である、ステレオリソグラフィ（ＳＬＡ）、一種のラピッドプロトタイピング過程である、選択的レーザー焼結（ＳＬＳ）である。
【００８６】
いくつかの実施形態では、方法は、特定の製作過程を用いて製作されるように、モデルを設計および適合するステップを含む。例えば、物理モデルを製作するために、異なる材料を選択することができる。
【００８７】
いくつかの実施形態では、方法は、使用される材料の量を減少させるために、製作過程で使用される流体が、モデルから流出することを許可されるように、着脱可能構成要素から離れる方向を向くモデルの歯肉部分の中に穿孔を設計するステップを含む。したがって、モデルは、中空であってもよく、シェルのみから成ってもよい。この実施形態の利点は、材料が収縮し、より少ない材料がある場合、より少ない収縮、したがって、モデルのより少ない欠陥が生じることである。
【００８８】
いくつかの実施形態では、方法は、２つのモデルが解剖学的に正しい方法で相互に取り付けられるよう適合されるように、上顎の歯のモデルと下顎の歯のモデルとを接続するためのコネクタを画定するステップを含む。
【００８９】
いくつかの実施形態では、方法は、着脱可能構成要素が、患者の口の中の実際の解剖学的な歯の位置に対応して、物理モデルの中で解剖学的に正しく位置付けられるように、着脱可能構成要素および支持および位置付けるための手段が製作されることを含む。
【００９０】
着脱可能構成要素はまた、歯、歯の調整、金型等と表されてもよい。
【００９１】
いくつかの実施形態では、方法は、着脱可能構成要素が物理モデルの中のその正しい解剖学的位置に配設されるときに、モデルの中の着脱可能構成要素の可視的な部分の形状が、実際の解剖学的な歯の可視的な部分に対応することを提供するステップを含み、いずれの歯肉も着脱可能構成要素の一部ではない。
【００９２】
いくつかの実施形態では、着脱可能構成要素の正しい解剖学的位置は、モデルに対する高さに関する、モデルの中に配置されたときに着脱可能構成要素が回転できないことを確実にすることによって、制御することができる水平位置に関する、および／またはモデルの中の着脱可能構成要素と対応する空洞との間の摩擦に関する。着脱可能構成要素が、モデルの歯肉部分に対して解剖学的に正しい高さを有するように配設されるときに、着脱可能構成要素の歯は、歯モデルの水平面に対して正しく配設されてもよい。着脱可能構成要素が、着脱可能構成要素と空洞との間の摩擦に関して正しく配設される場合、支持要素および着脱可能構成要素／空洞壁の相対的位置が、支持要素が正しい摩擦を提供するようなものであるように、配設されてもよい。
【００９３】
一組の歯の物理モデルは、ワックス調節として知られていてもよい、修復のモデルを構築するために歯科技工士によって使用されてもよい。次いで、修復のモデルまたはワックス調節は、例えば、陶張りを有する金属クラウン等の金属材料でできている、実際の修復を成型するために使用されてもよい。物理モデルは、製作された修復が実際に物理モデルの中の物理的着脱可能構成要素に適合するかどうかをチェックするために、使用されてもよい。たとえ修復がＣＡＤ／ＣＡＭによって生産されたとしても、物理モデル上で修復をチェックすることによって、生成された修復が正しい適合を有することをチェックすることが依然として有利である。製作過程にはいくつかのステップがあり、よって、潜在的にステップのうちの１つで何かが失敗し得るので、修復が歯科医に送られ、患者の口に挿入される前に、歯科技工士が欠陥を発見して是正するほうが良い。修復が、形状またはサイズを変化させることができる材料、例えば、ジルコニアとしても知られている酸化ジルコニウムから生産される場合、材料が、加熱過程の間および／または後に収縮または屈曲する場合があるため、生産後に修復をチェックする利点もある。修復が手動で生産される場合、および／または修復上の陶材作業が手動で行われるときに、歯科技工士は、修復のために隣接する歯の間に十分な空間があること、および陶材の形状が隣接する歯に合致することをチェックするために、一組の歯の中の他の歯のモデルを必要とする。
【００９４】
モデルが３Ｄプリントによって製作される場合、ミリングによるｆｘ製作と比較して、多くのモデルを同時に製作することができる。
【００９５】
方法は、少なくとも１本の歯が、物理モデルに着脱可能に挿入されない、すなわち、歯は、モデルから除去することができないが、モデルの一部として製作され、したがって、モデルの中に固定されることを含んでもよい。方法は、固定された歯を歯肉部分から除去することができるように、少なくとも１本の歯が、歯肉部分および固定された歯を備える、一貫した構造の固定部分として製作されることを含んでもよい。
【００９６】
これによって、モデルから歯を除去する必要がなくてもよいため、これは、研究室で化粧板を加工するときの利点であってもよい。さらに、これが非常に良好な制御を提供してもよいため、着脱可能構成要素がない完全に非可撓性のモデルにおいて、修復を制御する利点があってもよい。
【００９７】
いくつかの実施形態では、方法は、着脱可能構成要素がいずれのピンも持たないように製作されることを含む。着脱可能構成要素のための空洞を有する物理モデルを製作することによって、ピンが着脱可能構成要素から省略されてもよいという利点があってもよく、ピンが着脱可能構成要素から外れる可能性が高い場合があり、ピンがモデルの中の着脱可能構成要素の完璧な適合を妨げる、または妨害する場合がある等のため、これは利点であってもよい。さらに、層状に液体を凝固させることによって、着脱可能構成要素およびモデルを製作する場合、着脱可能構成要素の残りの部分上の停止表面が、液体中で生産されている際に、何かによって運搬または支持されないため、ピンを生産することが困難な場合がある。
【００９８】
いくつかの実施形態では、方法は、モデルを製作する前に、着脱可能構成要素の周囲でモデルの歯肉部分をデジタル的に再配置するステップを含む。歯が患者の口の中で調整されるときに、歯の大半が研磨され、それにより、調整された歯の周囲の軟質で柔軟な歯肉組織が、調整されていない歯に従う元の形状にとどまる代わりに、調整された歯の新しい縮小形状に隣接する、または従う、または折り重なることが、しばしば問題であるため、この再配置が利点であってもよい。よって、調整された歯の印象が作製されるときに、歯肉は、調整された歯に隣接しており、次いで、歯の製作されたモデルは、着脱可能構成要素に隣接する歯肉を有し、したがって、歯肉と着脱可能構成要素との間に、修復をモデル化して配置する空間がなくてもよい。しかし、着脱可能構成要素の周囲にモデルの歯肉部分を再配置する、除去する、または移転するときに、修復、および患者の口に修復を挿入した後に歯科医が追加してもよい、化粧張り、例えば、陶材のための空間がある。
【００９９】
いくつかの実施形態では、モデルの歯肉部分をデジタル的に再配置するステップは、モデルの歯肉部分を、着脱可能構成要素から、および着脱可能構成要素へデジタル移動させるステップを含む。モデルの歯肉部分をデジタル的に再配置するステップは、着脱可能構成要素に隣接する歯肉を移動させるステップを含んでもよい。
【０１００】
いくつかの実施形態では、モデルの歯肉部分をデジタル的に再配置するステップは、着脱可能構成要素に対して外向きにモデルの歯肉部分をデジタル移動させるステップを含んでもよい。モデルの歯肉部分は、歯肉のサイズを変化させることなく移動させられてもよく、これは、患者の口の中の歯肉が、形状を変化させて移動するだけで、サイズを変化させない、すなわち、歯肉がより大きくも小さくもならず、形状を変化させるだけであるため、重要であるという利点があってもよい。修復のモデルがＣＡＤを使用して設計される場合、モデル化された修復に適合するために、歯モデル上の歯肉がどれだけ移動させられるべきかを、ＣＡＤプログラムから導出することができるという利点があってもよい。
【０１０１】
いくつかの実施形態では、方法は、モデルの歯が、硬質の非可撓性材料で製作され、少なくとも、着脱可能構成要素の周囲のモデルの歯肉が、軟質の可撓性材料で製作されることを含む。いくつかの実施形態では、方法は、モデルの歯が、比較的硬質であまり可撓性ではない材料で製作され、少なくとも、着脱可能構成要素の周囲のモデルの歯肉が、比較的軟質でより可撓性の材料で製作されることを含む。
【０１０２】
異なる材料が口の中の実際の物質に似ており、これが修復の試験またはモデル化を促進するため、比較的硬質の材料でモデルの歯を、比較的軟質の材料でモデルの歯肉部分を製作する利点があってもよい。
【０１０３】
いくつかの実施形態では、界面によって画定される平面内の支持要素の形状は、棒状、正方形、長円形、星形、および／または三角形である。
【０１０４】
いくつかの実施形態では、方法は、緊密な嵌合が空洞と着脱可能構成要素との間に作成されるように、着脱可能構成要素が空洞の中で配設されるときに、空洞壁上に生成される支持要素の体積が、着脱可能構成要素の体積と少なくとも部分的に重複するように製作されることを含む。
【０１０５】
いくつかの実施形態では、着脱可能構成要素が空洞の中で配設されるときに、緊密な嵌合が空洞と着脱可能構成要素との間に作成されるように、着脱可能構成要素上に生成される支持要素の体積は、空洞壁の体積と少なくとも部分的に重複するように製作される。
【０１０６】
いくつかの実施形態では、緊密な嵌合が空洞と着脱可能構成要素との間に作成されるように、着脱可能構成要素の支持要素は、着脱可能構成要素および空洞壁の他方の体積と少なくとも部分的に重複するように製作される。
【０１０７】
いくつかの実施形態では、重複の体積は、操作者によって制御されるように適合される。
【０１０８】
いくつかの実施形態では、方法は、モデルが、それを通って物理モデルの中の着脱可能構成要素を接触させ、その空洞から排出することができる側方排出孔を備えることを提供するステップを含む。
【０１０９】
孔は、モデルの歯肉部分の中で配設されてもよい。モデル上の側面に排出孔を提供するときに、この孔が側面からアクセス可能であるという利点があってもよく、これは、例えば、咬合器に取り付けられているモデルの底部とは対照的に、モデルの側面をアクセスすることができる場所で、咬合器上にモデルを載置するときに利点であってもよい。したがって、モデルの底部の中の代わりに、モデルの側面上に排出孔を配設する利点があってもよい。しかしながら、孔、例えば、排出孔は、代替として、および／または加えて、モデルの底部の中に配設されてもよい。
【０１１０】
いくつかの実施形態では、方法は、着脱可能構成要素がモデルの空洞の中で配設されるときに、着脱可能構成要素が、モデルの側方排出孔に継続して配設されるように適合される、孔を備えることを提供するステップを含む。
【０１１１】
モデルの側面の中の孔および着脱可能構成要素の中の孔を提供するときに、次いで、２つの孔が整合させられる、すなわち、相互に継続して配設される、または端から端まで配設されるときに、次いで、着脱可能構成要素がモデルに対して正しく配設されるという利点があってもよい。着脱可能構成要素の中の孔およびモデルの中の孔が整合させられているかどうかは、目視検査を用いて、または孔の中へ嵌合するように適合されるツールを使用することによってチェックすることができる。したがって、ツールが、モデルの中の孔を通って着脱可能構成要素の中の孔の中へ支障なく移動することができるときに、モデルの中の着脱可能構成要素の整合が正しくなる。いくつかの実施形態では、側方排出孔は、ツールがモデルおよび着脱可能構成要素の両方を通って完全に移動することができるように配設され、したがって、ツールは、モデルの片側で挿入され、モデルの反対側までモデルを通過することができる。したがって、いくつかの実施形態では、側方排出孔は、ツールが、着脱可能構成要素と、着脱可能構成要素が配設される空洞を包囲する、モデルの歯肉部分との両方を備える、モデルの一部分を通過することができるように配設され、よって、ツールは、一部の片側で挿入することができ、着脱可能構成要素の反対側に配設された一部の側面まで一部を通過することができる。
【０１１２】
いくつかの実施形態では、方法は、モデルの表面から着脱可能構成要素のための空洞まで通過する、貫通孔として、モデルの中の孔を配設するステップと、止まり孔として着脱可能構成要素の中の孔を配設するステップとを含む。貫通孔は、モデルの歯肉部分から通過していてもよい。着脱可能構成要素の中の孔は、歯根に対応する位置で止まり孔として配設されてもよい。
【０１１３】
いくつかの実施形態では、方法は、モデルの表面から着脱可能構成要素のための空洞まで通過する、貫通孔として、モデルの中の孔を配設するステップと、貫通孔として着脱可能構成要素の中の孔を配設するステップとを含む。貫通孔は、モデルの歯肉部分から通過していてもよい。着脱可能構成要素の中の孔は、歯根に対応する位置で貫通孔として配設されてもよい。したがって、着脱可能構成要素の中の孔は、空洞の反対側まで着脱可能構成要素を完全に通過する貫通孔であってもよい。この場合、モデルの中の孔は、モデル全体を通過する、すなわち、モデルの表面からモデルの内側の空洞の一方の端まで、およびモデルを通る空洞の他方の端からモデルの他方の表面まで通過してもよい。モデル全体および着脱可能構成要素を通る自由通路があるときに促進されてもよい、目視検査によって、モデルの中の着脱可能構成要素の位置付けをチェックすることができるため、モデルおよび着脱可能構成要素の両方の中の貫通孔である、側方排出孔を有する利点があってもよい。さらに、貫通孔として側方排出孔を生成するようにモデルおよび着脱可能構成要素を製作するための利点があってもよい。例えば、モデルおよび着脱可能構成要素は、ジェットプリントを用いて製作することができ、例えば、最終バージョンに材料があるべきではない場所において、軟質支持材料がモデルおよび着脱可能構成要素の中で配設されてもよい。モデルまたは着脱可能構成要素の製作が完了したときに、支持材料が除去される、例えば、洗い流される、融解させられる、または掘り崩される。この場合、孔が止まり孔である代わりに貫通孔である場合に、孔から全ての支持材料を除去することがより容易であってもよい。
【０１１４】
いくつかの実施形態では、方法は、モデルの中の隣接する歯と対立する、または隣接する歯によって阻止されることなく、着脱可能構成要素がモデルの歯肉部分に挿入され、そこから除去されるよう適合されるように、モデルの歯肉部分の中で着脱可能構成要素を配設するステップを含む。
【０１１５】
いくつかの実施形態では、方法は、着脱可能構成要素の挿入方向が、一組の歯のうちの実際の解剖学的な歯の挿入方向に対応するように、モデルの中で着脱可能構成要素を配設するステップを含む。
【０１１６】
いくつかの実施形態では、方法は、着脱可能構成要素の挿入方向が傾斜しているため、モデルの中の隣接する歯と対立する、または隣接する歯によって阻止されることなく、着脱可能構成要素がモデルの歯肉部分に挿入され、そこから除去されるよう適合されるように、モデルの歯肉部分の中で着脱可能構成要素を配設するステップを含む。
【０１１７】
いくつかの実施形態では、方法は、着脱可能構成要素が、着脱可能構成要素の正しい解剖学的高さが対応するよりも遠く、モデルの歯肉部分の中へ押し込まれるのを阻止されるように、モデルが、空洞の中に配設されるときに着脱可能構成要素用の停止部として機能する停止表面を備えることを提供するステップを含む。
【０１１８】
いくつかの実施形態では、停止表面は、平面および水平である。停止表面は、モデルの残りの部分に対して、および／または着脱可能構成要素の挿入方向等に対して、平面および水平であってもよい。これがモデルの中の着脱可能構成要素の最適な位置付けおよび支持を提供してもよいため、停止表面は、平面および水平であるという利点があってもよい。
【０１１９】
本発明との関連で、「水平」という語句は、患者の歯列の咬合面と実質的に平行である平面を指し得る。
【０１２０】
いくつかの実施形態では、方法は、モデルが３Ｄプリントされるときに、停止表面の少なくとも一部が、モデルの残りの部分に対して水平であることを含む。したがって、停止表面の全体的な形態が、傾斜している、斜めである、または傾いていてもよいが、各単一プリント層が水平となるべきであり、よって、傾斜表面は、いくつかの小さい水平部分で構成される。これは、非常に良好な設定嵌合を提供する。
【０１２１】
モデルが３Ｄプリントの代わりに粉砕される場合、停止表面は、水平でなくてもよいが、任意の方向にあり得る。
【０１２２】
いくつかの実施形態では、方法は、停止表面が、モデルの残りの部分にも存在するプリント層に配設されることを含む。停止表面が着脱可能構成要素の底部分と同じ高さであるため、それにより、着脱可能構成要素をモデルの中の正しい層まで正確に押し下げることができ、それにより、モデルの中の着脱可能構成要素の位置が、物理モデルの中の着脱可能構成要素の高さに対して解剖学的に正しいという利点があってもよい。したがって、停止層は、ｈ＝ｎ×プリント層の厚さである、高さｈにある。
【０１２３】
いくつかの実施形態では、方法は、着脱可能構成要素が、着脱可能構成要素がモデルの中のその対応する空洞の中で配設されるときに可視的である、最上部分と、着脱可能構成要素がモデルの中のその対応する空洞で配設されるときにモデルの歯肉部分によって隠され、したがって不可視的ではない、底部分とを有することを提供するステップを含む。
【０１２４】
いくつかの実施形態では、方法は、少なくとも着脱可能構成要素の底部分が、実質的に円筒形であることを規定するステップを含む。
【０１２５】
いくつかの実施形態では、方法は、少なくとも着脱可能構成要素の底部分が、実質的に長方形であることを規定するステップを含む。この実施形態の利点は、着脱可能構成要素の底部分が長方形であるときに、着脱可能構成要素が空洞の中で回転することができず、したがって、モデルの中のその位置付けが十分固定されることである。
【０１２６】
いくつかの実施形態では、方法は、着脱可能構成要素の断面積が、着脱可能構成要素がその空洞に挿入されるときに、モデルの歯肉部分によって覆われるように適合される、着脱可能構成要素の部分に沿って一定であることを含む。
【０１２７】
いくつかの実施形態では、方法は、着脱可能構成要素の断面積が、着脱可能構成要素がその空洞に挿入されるときに、該界面において配設される、着脱可能構成要素の部分に沿って一定であることを含む。これの利点は、着脱可能構成要素がモデルの中で一定の厚さを有するときに、着脱可能構成要素が、例えば、いずれのピンも使用することなく、安定した嵌合を有してもよいことである。モデルの歯肉部分によって覆われる着脱可能構成要素の部品は、着脱可能構成要素がモデルの中で配設されるとき、およびモデルが非透明材料でできているときに、可視的ではない。しかしながら、モデルが透明材料でできている場合、モデルの空洞の中にある着脱可能構成要素の部分は、依然として可視的であってもよい。
【０１２８】
いくつかの実施形態では、方法は、断面の形状が、着脱可能構成要素がその空洞に挿入されるときにモデルの歯肉部分によって覆われるように適合される、着脱可能構成要素の部分に沿って一定であることを含む。いくつかの実施形態では、方法は、断面の形状が、着脱可能構成要素がその空洞に挿入されるときに該界面において配設される、着脱可能構成要素の部分に沿って一定であることを含む。
【０１２９】
いくつかの実施形態では、方法は、モデルの中の着脱可能構成要素の１本以上の隣接する歯が、モデルに着脱可能に挿入されるように適合されることを規定するステップを含む。利点は、隣接または近隣の歯をモデルから除去することができるときに、例えば、側面の全てまたはいくつかの上で、着脱可能構成要素の周囲に自由空間があるため、歯科技工士が修復のモデルを構築することがより容易であってもよい。
【０１３０】
いくつかの実施形態では、方法は、着脱可能構成要素が、解剖学的層、限界線層、接続層、および基層を備えることを規定するステップを含む。
【０１３１】
いくつかの実施形態では、着脱可能構成要素は、作業空間を提供するために、限界線層と接続層との間に配設される溝層を備える。
【０１３２】
この実施形態の利点は、歯科技工士が、例えば、歯科ドリルと連動するのに十分な空間を有するように、溝層が、歯科技工士のために着脱可能構成要素上に作業空間を提供することである。
【０１３３】
いくつかの実施形態では、着脱可能構成要素は、ピンを備える。この実施形態の利点は、ピンが、モデルの中の着脱可能構成要素のより良好な嵌合を提供してもよいことである。
【０１３４】
いくつかの実施形態では、方法は、各着脱可能構成要素上に識別タグを提供するステップを含む。いくつかの実施形態では、方法は、各着脱可能構成要素上に識別タグを提供するステップを含む。この識別タグは、着脱可能構成要素およびモデルを製作するときに提供されてもよい。識別（ＩＤ）タグを提供するとき、例えば、大量の着脱可能構成要素が一緒に製作されるときに着脱可能構成要素を識別することが容易であるため、利点があってもよい。ＩＤタグは、着脱可能構成要素の中の好適な場所にプリントされてもよい、モデルに取り付けられてもよい、着脱可能であってもよい等である。識別タグは、仮想モデルおよび／または物理モデル上に提供されてもよい。
【０１３５】
いくつかの実施形態では、方法は、各着脱可能構成要素上に識別番号を提供するステップと、各着脱可能構成要素のためのモデルの中の対応する空洞において、対応する識別番号を提供するステップとを含む。モデルの中にいくつかの着脱可能構成要素がある場合、各着脱可能構成要素がモデルの中のどこで配列されるべきかを発見する、または知ることが複雑な場合があるという利点があってもよい。識別番号を提供するときに、モデルの中のそれらの正しい空間の中で着脱可能構成要素を配設することが容易かつ迅速である。
【０１３６】
いくつかの実施形態では、方法は、モデルの歯肉部分に対して着脱可能構成要素を正しく配設するために、着脱可能構成要素およびモデルの歯肉部分上に視覚ガイドラインを提供するステップを含む。視覚ガイドラインは、プリント、エンボス加工等されてもよく、例えば、溝または隆起であってもよい。
【０１３７】
いくつかの実施形態では、方法は、中空であるようにモデルを製作するステップを含む。より少ない材料が使用され、使用される材料の量が少ないほど、製作後にモデルのひずみの程度が小さくなるため、利点があってもよい。また、より少ない材料を使用することにより、製作過程が低費用になり、おそらくより迅速にもなるため、中空モデルを提供することの経済的利点があってもよい。
【０１３８】
いくつかの実施形態では、方法は、コネクタピンをモデルに提供するステップを含む。コネクタピンは、それらがモデルを、例えば、咬合器に接続するように構成されてもよい。上顎のモデルおよび下顎のモデルの両方が製作される場合、例えば、咬合器の中で上下のモデルを配設することによって、患者の咬合を試験することができるように、２つのモデルをコネクタによって接続することができるため、利点があってもよい。
【０１３９】
いくつかの実施形態では、方法は、患者の咬合が試験される、特定の咬合器に合致するために適合される界面をモデルに提供するステップを含む。
【０１４０】
いくつかの実施形態では、方法は、モデルの界面に合致する咬合器プレートを製作するステップを含む。
【０１４１】
本発明は、上記および以下で説明される方法、および対応する方法、デバイス、システム、用途、および／または製品手段を含む、異なる側面に関し、それぞれ、第１の記述された側面に関連して説明される利益および利点のうちの１つ以上をもたらし、それぞれ、第１の記述された側面に関して説明され、および／または添付の請求項で開示される実施形態に対応する、１つ以上の実施形態を有する。
【０１４２】
具体的には、本明細書では、一組の歯の物理モデルを製作するための一組の歯の仮想モデルを生成するコンピュータ実装方法が開示され、モデルは、１つ以上の歯の調整を備え、方法は、
一組の歯の仮想モデルを生成するステップであって、仮想モデルは、一組の歯の仮想表現に基づく、ステップと、
歯の調整のそれぞれが、モデルの中の着脱可能構成要素の一部として配設されるように構成されることを規定するステップであって、各着脱可能構成要素は、モデルの歯肉部分の中の対応する空洞の中へ嵌合するように適合される、ステップと、
着脱可能構成要素のそれぞれを、モデルの中のそれらの対応する空洞の中で支持および位置付けるための手段を提供するステップと、
各着脱可能構成要素の基部においてピンを提供するステップであって、ピンは、着脱可能構成要素の形状に似ているように成型される、ステップと
を含む。
【０１４３】
具体的には、一組の歯の物理モデルを製作するための一組の歯の仮想モデルを生成するコンピュータ実装方法が開示され、方法は、
一組の歯の仮想モデルを生成するステップであって、仮想モデルは、一組の歯の仮想表現に基づく、ステップと、
少なくとも１本の歯が、モデルの中の着脱可能構成要素の一部として配設されるように構成されることを規定するステップであって、着脱可能構成要素は、モデルの歯肉部分の中の対応する空洞の中へ嵌合するように適合される、ステップと、
着脱可能構成要素のそれぞれを、モデルの中のそれらの対応する空洞の中で支持および位置付けるための手段を提供するステップと、
着脱可能構成要素の基部においてピンを提供するステップと
を含む。
【０１４４】
ピンの断面形状は、着脱可能構成要素の基部の断面形状に似ていてもよい。
【０１４５】
具体的には、本明細書では、一組の歯の物理モデルを製作するための一組の歯の仮想モデルを生成するためのシステムが開示され、モデルは、１つ以上の歯の調整を備え、システムは、
一組の歯の仮想モデルを生成するための手段であって、仮想モデルは、一組の歯の仮想表現に基づく、手段と、
歯の調整のそれぞれが、モデルの中の着脱可能構成要素の一部として配設されるように構成されることを規定するための手段であって、各着脱可能構成要素は、モデルの歯肉部分の中の対応する空洞の中へ嵌合するように適合される、手段と、
着脱可能構成要素のそれぞれを、モデルの中のそれらの対応する空洞の中で支持および位置付けるための手段を提供するための手段と
を備え、
システムは、
各着脱可能構成要素とその対応する空洞との間の接触面積が、着脱可能構成要素と空洞との間に接触がない面積よりも小さくなるように、支持および位置付けるための手段を構成するための手段を含む。
【０１４６】
一組の歯の物理モデルを製作するための一組の歯の仮想モデルを生成するコンピュータ実装方法が開示され、方法は、
一組の歯の仮想表現を提供するステップと、
該仮想表現から一組の歯の仮想モデルを生成するステップであって、該仮想モデルは、歯肉部分と、少なくとも１本の歯とを備え、該生成するステップは、
ａ：モデルの中の着脱可能構成要素の一部であるように該歯を構成するステップと、
ｂ：該歯肉部分の中で空洞を画定するステップであって、該空洞は、空洞壁を備える、ステップと、
ｃ：仮想モデルから製作される物理モデルの中の空洞の中で、着脱可能構成要素を支持し、位置付けることが可能である、支持および位置付けるための手段を画定するステップと、
を含む、該生成するステップと
を含み、
着脱可能構成要素および空洞は、着脱可能構成要素と空洞壁との間の界面が画定されるように、かつ着脱可能構成要素および空洞が該界面に間隙を提供するように、着脱可能構成要素が空洞の中へ嵌合するように構成され、
支持および位置付けるための手段は、支持および位置付けるための手段が、該着脱可能構成要素と該空洞壁との間の該間隙を横断して延在するように、該着脱可能構成要素および該空洞壁のうちの１つの上に生成され、
該界面における着脱可能構成要素と空洞壁との間の接触面積は、支持および位置付けるための手段ならびに着脱可能構成要素および空洞壁のうちの他方の隣接表面の形状によって制御される。
【０１４７】
いくつかの実施形態では、方法が、空洞の前にモデルの中の着脱可能構成要素の一部であるように該歯を構成するステップを含むように、ａ）は、ｂ）の前に行われる。
【０１４８】
いくつかの実施形態では、該歯がモデルの中の着脱可能構成要素の一部であるように構成される前に、方法が該空洞を画定するステップを含むように、ｂ）はａ）の前に行われる。
【０１４９】
いくつかの実施形態では、該支持および位置付けるための手段、該着脱可能構成要素、および対応する空洞が、１つのステップで形成される。
【０１５０】
一組の歯の物理モデルを製作するための一組の歯の仮想モデルを生成するコンピュータ実装方法が開示され、方法は、
一組の歯の仮想モデルであって、歯肉部分と、モデルの中の着脱可能構成要素の一部であるように構成される歯とを備える、モデルを提供するステップと、
該歯肉部分に空洞を生成するステップであって、該空洞は、空洞壁を備え、着脱可能構成要素と空洞壁との間の界面が画定されるように、その空洞の中へ該着脱可能構成要素が嵌合し、着脱可能構成要素および空洞は、該界面に間隙を提供するように構成される、ステップと、
支持および位置付けるための手段が、空洞の中で着脱可能構成要素を支持し、位置付けるように、仮想モデルから製作される物理モデルにおいて、支持および位置付けるための手段が、該着脱可能構成要素と該空洞壁との間の該間隙を横断して延在するように、着脱可能構成要素の上および／または空洞の上で支持および位置付けるための手段を提供するステップと
を含み、
該界面における着脱可能構成要素と空洞壁との間の接触面積は、支持および位置付けるための手段ならびに着脱可能構成要素および／または空洞壁の隣接表面の形状によって制御される。
【０１５１】
一組の歯の物理モデルを製作するための一組の歯の仮想モデルを生成するコンピュータ実装方法が開示され、方法は、
一組の歯の仮想モデルを提供するステップと、
少なくとも１本の歯が、モデルの中の着脱可能構成要素の一部として配設されるように構成されることを規定するステップであって、着脱可能構成要素と空洞壁との間の界面が画定されるように、着脱可能構成要素は、モデルの歯肉部分の中の対応する空洞の中へ嵌合するように適合される、ステップと、
モデルの中の空洞の中で着脱可能構成要素を支持および位置付けるための手段を提供するステップと、
着脱可能構成要素と空洞壁との間の接触面積が該界面の面積よりも小さくなるように、支持および位置付けるための手段を構成するステップと
を含む。
【０１５２】
一組の歯のモデルの歯肉部分と、モデルの中の着脱可能構成要素との間の接触面積を制御するコンピュータ実装方法であって、該着脱可能構成要素は、歯を備え、方法は、
一組の歯の仮想モデルを提供するステップであって、モデルは、歯肉部分と、モデルの中の着脱可能構成要素の一部であるように構成される歯とを備え、該歯肉部分は、空洞壁を備える空洞を備え、着脱可能構成要素と空洞壁との間の界面が画定されるように、その空洞の中へ該着脱可能構成要素が嵌合し、着脱可能構成要素および空洞は、該界面に間隙を提供するように構成される、ステップと、
支持および位置付けるための手段が、空洞の中で着脱可能構成要素を支持し、位置付けるように、仮想モデルから製作される物理モデルにおいて、支持および位置付けるための手段が、該着脱可能構成要素と該空洞壁との間の該間隙を横断して延在するように、該着脱可能構成要素および該空洞壁のうちの１つの上で支持および位置付けるための手段を提供するステップと
を含み、
該界面における着脱可能構成要素と空洞壁との間の接触面積は、支持および位置付けるための手段ならびに着脱可能構成要素および空洞壁のうちの他方の隣接表面の形状によって制御される。
【０１５３】
また、プログラムコード手段がデータ処理システム上で実行されるときに、データ処理システムに方法を行わせるためのプログラムコード手段を備える、コンピュータプログラム製品、およびその上に記憶されたプログラムコード手段を有する、コンピュータ可読媒体を備える、コンピュータプログラム製品も開示される。
【０１５４】
別の側面によれば、また、一組の歯の物理モデルの中で配設される着脱可能構成要素を排出するための排出ツールも開示される。
【０１５５】
いくつかの実施形態では、排出ツールは、モデルの歯肉部分の貫通孔の中へ嵌合するように適合される、細長い構成要素を備える。
【０１５６】
いくつかの実施形態では、排出ツールは、着脱可能構成要素の止まり孔および／または貫通孔の中へ嵌合するように適合される。
【０１５７】
本発明の上記および／または付加的な目的、特徴、および利点が、添付図面を参照し、本発明の実施形態の以下の例示的かつ非限定的な詳細説明によって、さらに解明されるであろう。
【図面の簡単な説明】
【０１５８】
【図１】図１は、方法のフローチャートの実施例を示す。
【図２】図２は、側面から見た一組の歯の仮想モデルの実施例を示す。
【図３】図３は、上から見た一組の歯の仮想モデルの実施例を示す。
【図４】図４は、歯がモデルの中の着脱可能構成要素である、実施例を示す。
【図５】図５は、支持要素の実施例を斜視図で示す。
【図６】図６は、モデルの交差面の実施例を示す。
【図７】図７は、着脱可能構成要素の基部の形状に対応する形状を有するピンを有する着脱可能構成要素の実施例を示す。
【図８】図８は、側方排出孔および底部排出孔を有するモデルの中の着脱可能構成要素の側面図の実施例を示す。
【図９】図９〜１１は、側方排出孔を有する着脱可能構成要素およびモデルの実施例を示す。
【図１０】図９〜１１は、側方排出孔を有する着脱可能構成要素およびモデルの実施例を示す。
【図１１】図９〜１１は、側方排出孔を有する着脱可能構成要素およびモデルの実施例を示す。
【図１２】図１２は、モデルの中のピンを有する着脱可能構成要素の実施例を示す。
【図１３】図１３は、着脱可能構成要素の実施例を示す。
【図１４】図１４は、モデルの空洞および真っ直ぐではない側面を有する着脱可能構成要素の実施例を示す。
【図１５】図１５は、モデルの空洞および真っ直ぐではない側面を有する着脱可能構成要素の実施例を示す。
【図１６】図１６は、陥凹を有する着脱可能構成要素の実施例を示す。
【図１７】図１７は、着脱可能構成要素の周囲でモデルの歯肉部分を移動させることの実施例を示す。
【図１８】図１８は、モデルの着脱可能構成要素および歯肉部分上の視覚ガイドラインの実施例を示す。
【発明を実施するための形態】
【０１５９】
以下の説明では、例示として、本発明がどのようにして実践され得るかを示す添付図を参照する。
【０１６０】
図１は、方法の一実施形態のフローチャートの実施例を示す。ステップ１０１において、一組の歯の仮想モデルが生成され、仮想モデルは、一組の歯の仮想表現に基づいている。仮想表現は、一組の歯の印象をスキャンすることによって、または口腔内スキャナを使用して患者の口の中において一組の歯を直接スキャンすることによって提供されてもよい。仮想モデルは、１本以上の歯を備えてもよい。仮想モデルは、以前に生成されていてもよく、本発明は、仮想モデルの生成を含む方法に限定されない。ステップ１０２において、歯の各々は、モデルの中の着脱可能構成要素として配設されるように構成されるよう提供され、各着脱可能構成要素は、モデルの歯肉部分の中の対応する空洞の中へ嵌合するように適合される。ステップ１０３において、各着脱可能構成要素を、モデルの中のそれらの対応する空洞の中で支持および位置付けるための手段が提供される。ステップ１０４において、支持および位置付けるための手段は、着脱可能構成要素と空洞壁との間の界面における接触面積が、支持および位置付けるための手段と着脱可能構成要素および空洞壁との隣接表面の形状によって制御されるように構成される。
【０１６１】
本発明は、これらのステップが上述の順序で行われる方法およびシステムに限定されない。例えば、ステップ１０３は、ステップ１０２の前に行われてもよく、またはステップは、同時に行われてもよい。
【０１６２】
図２は、側面から見た一組の歯の仮想モデルの実施例を示す。仮想モデル２０１は、上２０３および下２０４顎の両方のいくつかの歯２０２を示す。歯の調整２０５が、上顎２０３に示されている。仮想モデル２０１は、中空であり、したがって、歯の表面輪郭を示すシェルのみを形成する。仮想モデル２０１は、例えば、印象をスキャンすることによって提供されてもよい。
【０１６３】
図３は、上から見た一組の歯の仮想モデルの実施例を示す。仮想モデル３０１は、上から見たいくつかの歯３０２および歯の調整３０５を示す。歯３０２の咬頭３０６を見ることができる一方で、例えば、クラウンまたはブリッジ等の歯の修復のために歯を調整するときに咬頭がここでは除去されているので、調整された歯３０５の上には咬頭がない。
【０１６４】
図４は、歯の調整がモデルの中の着脱可能構成要素である実施例を示す。図４ａ）において、一組の歯のモデル４０１が示されており、一組の歯は、２本の歯４０２と、歯の調整４０５とを備える。歯の調整４０５は、モデル４０１の中のその対応する空洞４０７の中に着脱可能構成要素として配設される。ユーザがモデル４０１から着脱可能構成要素４０５を取り出すことがより容易であるように、歯肉に対応するモデル４０１の部分の一部が除去されていてもよい。着脱可能構成要素４０５の限界線４１０は、着脱可能構成要素４０５の質量中心に基づいて自動的に画定されていてもよい。
【０１６５】
図４ｂ）において、歯の調整４０５が、空洞４０７から持ち上げられた着脱可能構成要素として示されており、したがって、着脱可能構成要素は、モデル４０１におけるその対応する空洞４０７の外側に配設される。着脱可能構成要素４０５が空洞４０７から持ち上げられると、空洞４０７の中に着脱可能構成要素４０５を支持し、位置付ける支持要素４０９が見える。この実施例では、支持要素は、切断角錐または長方形の錐台の形状を有する摩擦点として示されている。
【０１６６】
図４ａ）および図４ｂ）の両方において、コネクタピン４０８がモデル４０１の上に見られる。コネクタピン４０８を用いて、一組の歯の下顎および上顎モデルを、解剖学的に正しい態様で一緒に接続することができる。
【０１６７】
図５は、支持要素の実施例を斜視図で示す。図５ａ）、５ｂ）、および５ｃ）は全て、切断角錐または長方形の錐台として成形された摩擦点の形態の支持要素５０９を有する空洞５０７を示す。切断角錐または長方形の錐台は、空洞の表面に配設された最も幅の広い部分、および着脱可能構成要素が配設されるように構成される位置に向かう最も幅の狭い部分を伴って配設される。
【０１６８】
図５ａ）において、２つの摩擦点５０９が見られ、図５ｂ）において、４つの摩擦点が見られ、図５ｃ）において、３つの摩擦点が見られる。摩擦点は、界面における着脱可能構成要素および空洞５０７の表面に従うように成形され、着脱可能構成要素の位置に向かう摩擦点の部分から空洞の表面まで、一定の距離があり、すなわち、摩擦点は一定の高さを有する。
【０１６９】
図５ｂ）において、４つの摩擦点が、着脱可能構成要素および空洞の４つの角に対応する位置に配設される。摩擦点は、摩擦点が相互に、２つずつ、またはペアで実質的に対向しているように配設される。ユーザがモデル５０１から着脱可能構成要素を取り出すことがより容易であるように、歯肉に対応するモデル５０１の部分のうちの一部が除去されていてもよい。
【０１７０】
図６は、モデルの交差面の実施例を示す。図６ａ）は、交差面６１１を有するモデル６０１を示す。モデル６０１は、着脱可能構成要素６０５を備える。図６ｂ）は、図６ａ）に見られる交差面における着脱可能構成要素６０５および空洞６０７の断面を示す。
【０１７１】
支持要素６０９は、図６ｂ）の断面図において摩擦点として示されている。空洞６０７の輪郭および着脱可能構成要素６０５の輪郭は平行であり、したがって、距離が別の一定の距離である摩擦点６０９を除いて、輪郭の間に一定の距離が存在する。
【０１７２】
断面の図６ｂ）は、支持要素６０９において、空洞の中の支持要素６０９または摩擦点の輪郭が、着脱可能構成要素６０５の輪郭にわずかに重複することが分かり、これは、着脱可能構成要素６０５が空洞６０７の中にしっかりと配設されることを規定する。したがって、摩擦は、着脱可能構成要素および切断角錐が、わずかな距離、例えば、数ミリメートル重複することを伴って作成される。重複は、１０分の１、１００分の１ミリメートル等であってもよい。
【０１７３】
図７は、着脱可能構成要素の基部の形状に対応する形状を有するピンを有する着脱可能構成要素の実施例を示し、すなわち、ピンは、その断面形状が着脱可能構成要素の基部の断面形状に似ているように成形されている。
【０１７４】
着脱可能構成要素７０５は、着脱可能構成要素７０５の形状または輪郭に似ている形状を有するピン７１２を備える。ピンは、この実施例で示されるよりも幅が広く、または狭く、長く、または短くてもよい。大型ピンは、一組の歯の物理モデルの中の着脱可能構成要素７０５のための良好な支持を提供してもよい。
【０１７５】
図８は、側方排出孔および底部排出孔を有するモデルの中の着脱可能構成要素の側面図の実施例を示す。図８ａ）は、モデル８０１の歯肉部分の中に配設された着脱可能構成要素８０５を示す。着脱可能構成要素８０５を有するモデル８０１は、側方排出孔８１３を備える。側方排出孔８１３は、モデル８０１の側面の貫通孔、および着脱可能構成要素８０５の側面の止まり孔である。モデル８０１はまた、モデル８０１の底部の中の貫通孔である底部排出孔８１４も備える。着脱可能構成要素８０５は、モデル８０１の中に配設されるときに、モデル８０１の停止表面８１５上に静置し、着脱可能構成要素８０５の底部は、底部排出孔８１４の端を形成するか、または底部排出孔８１４を閉鎖する。停止表面は、モデルの中の着脱可能構成要素の最適な位置付けおよび支持を提供するために平面および水平であってもよい。側方排出孔８１３および底部排出孔は、モデル８０１の歯肉部分から着脱可能構成要素８０５を排出するために使用することができる。着脱可能構成要素は、着脱可能構成要素の最上部である解剖学的部分８１６と、モデル８０１の空洞８０７の中で配設された部分である底標準部分８１８と、解剖学的部分８１６と底標準部分８１８との間の部分である接続領域８１７とを備える。代替として、および／または加えて、底標準部分８１８は、モデル８０１の空洞８０７の中に配設されないが、空洞を持たないモデル８０１に配設されてもよい。図８ｂ）は、着脱可能構成要素８０５の上面図の実施例を示す。
【０１７６】
線８１６は、着脱可能構成要素の解剖学的部分８１６を示し、線８１８は、図８ａ）に見られるように、着脱可能構成要素の底標準部分８１８を示す。切断三角形または圧縮角錐は、モデル８０１上の摩擦点８０９を示す。例えば、モデル８０１の空洞の中の摩擦点８０９は、モデル８０１の中の着脱可能構成要素８０５の支持および位置付けを促進する機能を有する。
【０１７７】
図９は、貫通孔である側方排出孔を有する着脱可能構成要素およびモデルの実施例を示す。図９ａ）は、貫通孔である側方排出孔９１３を有するモデル９０１の部分の側面図を示す。側方排出孔９１３は、モデル９０１の外面からモデルの空洞部分９０７まで、再び、空洞部分９０７の他方の端からモデル９０１の他方の表面までの貫通孔である。図９ｂ）は、モデル９０１の空洞９０７の中に嵌合する着脱可能構成要素９０５の側面図を示す。側方排出孔９１３は、着脱可能構成要素９０５の底部分の中の貫通孔である。図９ｃ）は、側方排出孔９１３が正面から見えるように、着脱可能構成要素が図９ｂ）に対して９０度回転した、着脱可能構成要素９０５の側面図を示す。図９ｄ）は、着脱可能構成要素９０５がモデル９０１の空洞９０７の中に配設されている、着脱可能構成要素９０５を有するモデル９０１の側面図を示す。着脱可能構成要素９０５の中の側方排出孔９１３の部分およびモデル９０１の中の側方排出孔の部分が、正確に端から端まで配設されるように、着脱可能構成要素９０５の中およびモデル９０１の中の側方排出孔９１３が、正確に線上に配設されていることが分かる。
【０１７８】
図１０は、着脱可能構成要素１００５の中の孔が、着脱可能構成要素１００５の幅全体に沿って通る貫通孔である側方排出孔１０１３が存在する着脱可能構成要素を有するモデルの実施例を示す。側方排出孔１０１３は、モデル１００１の一方の側面を通過するだけで、モデルの他方の側面を通過しない。モデル１００１の空洞１００７（図１０ａ）参照）、および着脱可能構成要素１００５の底標準部分１０１８（図１０ｂ）参照）は、勾配を伴って配設される真っ直ぐな側面を有する。したがって、側面は平角を形成しない。図１０ｃ）は、着脱可能構成要素１００５を有するモデル１００１を示す。
【０１７９】
図１１は、着脱可能構成要素１１０５の中の孔が止まり孔である側方排出孔１０１３が存在する着脱可能構成要素を有するモデルの実施例を示す。図１１は、モデル１１０１の中の側方排出孔１１１３が真っ直ぐであるが、着脱可能構成要素１１０５の止まり孔１１１３が傾斜側面を有することを示す。さらに、モデル１１０１は、底部排出孔１１１４を備える。
【０１８０】
図１２は、モデルの中にピンを有する着脱可能構成要素の実施例を示す。図は、着脱可能構成要素１２０５がモデル１２０１の中に配設されていることを示す。モデル１２０１が空洞を備えていないので、着脱可能構成要素１２０５は、モデル１２０１の中の自由空間中の隣接または近隣の歯１２１９の隣に配設される。着脱可能構成要素１２０５は、モデル１２０１の中の孔１２２０の中に嵌合する、薄くて細長いピン１２１２を備える。ピン１２１２および孔１２２０の拡大を示す引き伸ばし図も参照されたい。着脱可能構成要素１２０５の限界線１２１０も印を付けられている。
【０１８１】
図１３は、着脱可能構成要素の実施例を示す。着脱可能構成要素１３０５は、解剖学的層１３１６と、限界線層１３１０と、溝層１３２１と、接続層１３１７と、基層または底層１３１８とを備える。溝層１３２１は、随意的であるが、限界線層１３１０と接続層１３１７との間に溝層１３２１を提供することの利点は、着脱可能構成要素１３０５に歯科技工士のための作業空間を提供するためである。さらに、ピン１３１２は、基層１３１８の下に配設されてもよい。
【０１８２】
図１４は、モデルの空洞および真っ直ぐではない側面を有する着脱可能構成要素の実施例を示す。図１４ａ）は、モデル１４０１の空洞１４０７が、階段１４２２として形成されていることを示し、図１４ｂ）は、着脱可能構成要素１４０５の底部分が、対応する階段１４２２として形成されていることを示す。階段は、全体的に真っ直ぐではないが、階段の単一の段は、真っ直ぐであってもよい。階段のサイズは、ここで示されるよりもはるかに小さくてもよく、それらは、非常に小さくてもよいので裸眼では見ることができない。多くの階段がある場合、全体的な視覚印象は、側面が実際に傾斜しているということになる。破線で示される空洞の底部が閉じているか、開いているかは随意的である。
【０１８３】
図１５は、モデルの空洞および真っ直ぐではない側面を有する着脱可能構成要素の実施例を示す。図１５ａ）は、モデル１５０１の空洞１５０７が、階段１５２２として形成されていることを示し、図１５ｂ）は、着脱可能構成要素１５０５の底部分が、対応する階段１５２２として形成されていることを示す。階段は、全体的に真っ直ぐではないが、階段の単一の段は、真っ直ぐであってもよい。着脱可能構成要素１５０５は、モデル１５０１を通って全体に延在するほど長く示されているピン１５１２を備える。破線で示されるピン１５１２のためのモデル１５０１の中の孔の底部が閉じているか、開いているかは随意的である。
【０１８４】
図１６は、陥凹を有する着脱可能構成要素の実施例を示す。図１６ａ）−ｂ）は、例えば、モデルの中の空洞の代わりに、着脱可能構成要素１６０５は、モデルの中の着脱可能構成要素１６０５の支持および位置付けを促進する陥凹１６２３を有することができ、モデルは、載置基部１６３０の形態であってもよいことを示す。載置基部１６３０は、標準または一般載置基部、あるいは特定の患者の症例のための特定の載置基部であってもよい。図１６ａ）はさらに、載置基部１６３０が、着脱可能構成要素１６０５の陥凹１６２３の中に嵌合する突起１６２４を有することができることを示す。
【０１８５】
図１７は、着脱可能構成要素の周りにおいて歯肉を移動させることの実施例を示す。図１７ａ）は、モデルの歯肉１７２５の一部分が再配置される前のモデル１７０１を示す。図１７ｂ）は、モデルの歯肉１７２５の一部分が再配置された後のモデル１７０１を示す。歯肉部分１７２５が移動させられた後に、モデル１７０１を製作することができる。歯が患者の口の中で調整されるときに、歯の大半が研磨される場合があるので、調整された歯の周囲の軟質で柔軟な歯肉組織は、元の調整されていない歯に従う元の形状にとどまる代わりに、調整された歯の新しい縮小形状に隣接するか、または従うか、または従うように折り重なる。着脱可能構成要素１７０５の周囲にモデル１７０１の歯肉部分１７２５を再配置するか、除去するか、または移転するときに、修復１７２６および化粧張りのための空間が存在する。モデル１７０１の歯肉部分１７２５は、着脱可能構成要素１７０５に対して外向きに、すなわち、着脱可能構成要素から離れるように移動させられ、歯肉部分１７２５のサイズを変化させることなく移動させられ、歯肉部分１７２５の形状のみが変化させられる。
【０１８６】
修復１７２６がＣＡＤを使用して設計される場合、モデル化された修復１７２６に適合するためにモデル１７０１上の歯肉部分１７２５をどれだけ移動させるべきかを、ＣＡＤプログラムから導出することができる。
【０１８７】
図１７において、着脱可能構成要素１７０５は、着脱可能構成要素としてではなく、モデル１７０１の固定部分として示されており、したがって、この場合、構成要素１７０５は歯または金型として示されることができる。
【０１８８】
図１８は、着脱可能構成要素および載置基部上の視覚ガイドラインの実施例を示す。視覚ガイドライン１８２８は、モデルまたは載置基部１８３０に対する着脱可能構成要素１８０５の正しい配設を促進するために提供され得る。着脱可能構成要素１８０５は、モデルの空洞の中に配設される構成要素ではなく、独立型の構成要素であることが示されているので、ここでは載置基部１８３０が示されているが、視覚ガイドラインはまた、当然ながら、着脱可能構成要素のための空洞を有するモデルの上に配設されてもよい。載置基部１８３０は、標準または一般的載置基部、あるいは特定の患者の症例のための特定の載置基部であってもよい。視覚ガイドライン１８２８は、着脱可能構成要素１８０５の上および載置基部１８３０の上の両方に存在する直線である。着脱可能構成要素１８０５が載置基部１８３０に対して正しく配設されると、着脱可能構成要素１８０５と載置基部１８３０の上の視覚ガイドライン１８２８とは、ともに合致、接触、または適合する。視覚ガイドライン１８２８は、プリント、エンボス加工等されてもよく、例えば、溝または隆起であってもよい。
【０１８９】
さらに、相互に区別することが困難となり得るより多くの着脱可能構成要素１８０５がある場合に、載置基部１８３０の中のどこに異なる着脱可能構成要素１８０５が配設されるべきかを追跡するために、対応する番号１８２９、ここでは６という番号が、着脱可能構成要素１８０５の上および載置基部１８３０の上で配設される。
【０１９０】
いくつかの実施形態が詳細に説明され、示されているものの、本発明はそれらに限定されないが、また、以下の請求項において定義される主題の範囲内で他の方法において具現化されてもよい。具体的には、他の実施形態が利用されてもよく、本発明の範囲から逸脱することなく、構造および機能的修正が行われてもよいことを理解されたい。
【０１９１】
いくつかの手段を列挙するデバイスの請求項では、これらの手段のうちのいくつかは、１つおよび同じ項目のハードウェアによって具現化することができる。ある手段が、相互に異なる従属請求項で記載される、または異なる実施形態で説明されるという単なる事実は、これらの手段の組み合わせを有利に使用できないことを示さない。
【０１９２】
本明細書で使用されるときの「備える（含む）」という用語は、記述された特徴、整数、ステップ、または構成要素の存在を特定すると解釈されるが、１つ以上の他の特徴、整数、ステップ、構成要素、またはそれらのグループの存在または追加を除外しないことが強調されるべきである。
【０１９３】
「請求項〜のうちのいずれかに記載の」という用語は、１つまたはいくつかの従属請求項が独立請求項に読み込まれてもよいように、「前記請求項のうちのいずれか１つ以上に記載の」を意味するものとして解釈されてもよい。
【０１９４】
上記および以下で説明される方法の特徴は、ソフトウェアで実装され、コンピュータ実行可能命令の実行によって引き起こされるデータ処理システムまたは他の処理手段上で実行されてもよい。命令は、ＲＡＭ等のメモリに、記憶媒体から、またはコンピュータネットワークを介して別のコンピュータからロードされる、プログラムコード手段であってもよい。代替として、説明された特徴は、ソフトウェアの代わりに、またはソフトウェアと組み合わせて、配線で接続された回路によって実装されてもよい。
【図１】
2013520252.tif 000003
【図２】
2013520252.tif 000004
【図３】
2013520252.tif 000005
【図４ａ）】
2013520252.tif 000006
【図４ｂ）】
2013520252.tif 000007
【図５ａ）】
2013520252.tif 000008
【図５ｂ）】
2013520252.tif 000009
【図５ｃ）】
2013520252.tif 000010
【図６ａ）】
2013520252.tif 000011
【図６ｂ）】
2013520252.tif 000012
【図７】
2013520252.tif 000013
【図８ａ）】
2013520252.tif 000014
【図８ｂ）】
2013520252.tif 000015
【図９ａ）】
2013520252.tif 000016
【図９ｂ）】
2013520252.tif 000017
【図９ｃ）】
2013520252.tif 000018
【図９ｄ）】
2013520252.tif 000019
【図１０ａ）】
2013520252.tif 000020
【図１０ｂ）】
2013520252.tif 000021
【図１０ｃ）】
2013520252.tif 000022
【図１１】
2013520252.tif 000023
【図１２】
2013520252.tif 000024
【図１３】
2013520252.tif 000025
【図１４ａ）】
2013520252.tif 000026
【図１４ｂ）】
2013520252.tif 000027
【図１５ａ）】
2013520252.tif 000028
【図１５ｂ）】
2013520252.tif 000029
【図１６ａ）】
2013520252.tif 000030
【図１６ｂ）】
2013520252.tif 000031
【図１７ａ）】
2013520252.tif 000032
【図１７ｂ）】
2013520252.tif 000033
【図１８】
2013520252.tif 000034
【国際調査報告】
2013520252.tif 000035
2013520252.tif 000036
2013520252.tif 000037
2013520252.tif 000038